(57)【特許請求の範囲】
【請求項１】
粉粒体を収容可能な円筒状の粉粒体収容容器と、
前記粉粒体収容容器の底壁の中心に貫通形成された粉粒体排出孔と、
前記粉粒体収容容器の底壁上面に重ねられると共に、前記粉粒体収容容器の内周面との間に環状隙間を有し、前記粉粒体排出孔とその周囲を上方から覆い、前記粉粒体排出孔を中心にして回転駆動される容器内回転盤と、
前記粉粒体収容容器の底壁上面における外縁部に沿って設けられて粉粒体が堆積される環状堆積部と、
前記容器内回転盤の下面に設けられ、前記粉粒体排出孔に上方から重複する位置から前記容器内回転盤の外周面まで延びて、前記環状堆積部に堆積した粉粒体を掻き集めながら前記粉粒体収容容器の底壁上を摺動し、それら粉粒体を前記粉粒体排出孔へと案内する導入ガイド壁と、
前記容器内回転盤の下面のうち前記容器内回転盤の回転方向で前記導入ガイド壁から離れた位置に設けられ、前記粉粒体排出孔に上方から重複する位置から前記容器内回転盤の外周面まで延びて、前記粉粒体排出孔から下方に排出し切れなかった粉粒体と共に前記粉粒体収容容器の底壁上を摺動し、それら粉粒体を前記容器内回転盤の中央部から外縁部、そして前記環状堆積部へと案内する導出ガイド壁とを備えたことを特徴とする粉粒体供給装置。
【請求項２】
粉粒体を収容可能な円筒状の粉粒体収容容器と、
前記粉粒体収容容器の底壁の中心に貫通形成された断面円形の粉粒体排出孔と、
前記粉粒体収容容器の底壁上面に重ねられると共に、前記粉粒体収容容器の内周面との間に環状隙間を有し、前記粉粒体排出孔とその周囲を上方から覆い、前記粉粒体排出孔を中心にして回転駆動される容器内回転盤と、
前記粉粒体収容容器の底壁上面における外縁部に沿って設けられて粉粒体が堆積される環状堆積部と、
前記容器内回転盤の下面のうち前記粉粒体排出孔との対向位置に陥没形成されて、前記粉粒体排出孔と同心大径の断面略円形の中央凹部と、
前記容器内回転盤の下面に溝状に形成され、前記中央凹部と前記環状堆積部との間を連通する粉粒体導入路と、
前記容器内回転盤の下面に溝状に形成されて前記容器内回転盤の回転方向で前記導入ガイド壁から離れた位置に配置され、前記中央凹部と前記環状堆積部との間を連通する粉粒体導出路と、
前記粉粒体導入路のうち前記容器内回転盤の回転方向の後側の内側面に配置されて、前記環状堆積部に堆積した粉粒体を掻き集めながら前記粉粒体収容容器の底壁上を摺動し、それら粉粒体を前記粉粒体排出孔へと案内する導入ガイド壁と、
前記粉粒体導出路のうち前記容器内回転盤の回転方向の後側の内側面に配置されて、前記粉粒体排出孔から下方に排出し切れなかった粉粒体と共に前記粉粒体収容容器の底壁上を摺動し、それら粉粒体を前記容器内回転盤の中央部から外縁部、そして前記環状堆積部へと案内する導出ガイド壁とを備えたことを特徴とする粉粒体供給装置。
【請求項３】
粉粒体を収容可能な円筒状の粉粒体収容容器と、
前記粉粒体収容容器の底壁の中心に貫通形成された断面円形の粉粒体排出孔と、
前記粉粒体収容容器の底壁上面に重ねられると共に、前記粉粒体収容容器の内周面との間に環状隙間を有し、前記粉粒体排出孔とその周囲を上方から覆い、前記粉粒体排出孔を中心にして回転駆動される容器内回転盤と、
前記粉粒体収容容器の底壁上面における外縁部に沿って設けられて粉粒体が堆積される環状堆積部と、
前記容器内回転盤の下面に突出形成されて、前記粉粒体排出孔の軸方向から見た形状が前記粉粒体排出孔の断面形状より大きな径の扇形状をなして、その扇形状の要部分が前記粉粒体排出孔の前記断面円形の一部である扇形領域に上方から重複した旋回ベースと、
前記容器内回転盤の下面に突出形成されて水平方向に延びた帯板状をなし、終端部が前記旋回ベースにおける前記扇形状の一側面のうち前記粉粒体排出孔から離間した位置に交差する一方、始端部が前記容器内回転盤の外周面に位置し、前記環状堆積部に堆積した粉粒体を掻き集めながら前記粉粒体収容容器の底壁上を摺動し、その粉粒体を前記旋回ベースの側面と協働して前記粉粒体排出孔の近傍まで案内する導入ガイド壁と、
前記容器内回転盤の下面に突出形成されて水平方向に延びた帯板状をなし、始端部が、前記粉粒体排出孔の近傍でかつ前記導入ガイド壁の終端部に対して前記粉粒体排出孔回りに１８０度離して配置される一方、終端部が前記容器内回転盤の外周面に位置し、前記粉粒体排出孔から下方に排出し切れなかった粉粒体と共に前記粉粒体収容容器の底壁上を摺動し、それら粉粒体を前記容器内回転盤の中央部から外縁部、そして前記環状堆積部へと案内する導出ガイド壁とを備えたことを特徴とする粉粒体供給装置。
【請求項４】
前記導入ガイド壁の始端部は、前記容器内回転盤の回転中心と前記導入ガイド壁の終端部とを通りかつ半径方向に延びた第１の基準線よりも、前記容器内回転盤の回転方向の前方側に配置され、
前記導入ガイド壁のうち前記容器内回転盤の回転に伴って前記粉粒体を押圧する導入ガイド面は、前記導入ガイド壁の終端部から始端部に向かうに従って、前記第１の基準線から徐々に離れるように延びた平面又は、前記第１の基準線から徐々に離れるように前記容器内回転盤の回転方向の後方に膨らみつつ延びた湾曲面又は屈曲面によって構成され、
前記導出ガイド壁の終端部は、前記容器内回転盤の回転中心と前記導出ガイド壁の始端部とを通りかつ半径方向に延びた第２の基準線よりも、前記容器内回転盤の回転方向の後方側に配置され、
前記導出ガイド壁のうち前記容器内回転盤の回転に伴って前記粉粒体を押圧する導出ガイド面は、前記導出ガイド壁の始端部から終端部に向かうに従って、前記第２の基準線から徐々に離れるように延びた平面又は、前記第２の基準線から徐々に離れるように前記容器内回転盤の回転方向の前方に膨らみつつ延びた湾曲面又は屈曲面によって構成されたことを特徴とする請求項１乃至３の何れかに記載の粉粒体供給装置。
【請求項５】
前記導入ガイド壁のうち前記容器内回転盤の回転に伴って前記粉粒体を押圧する導入ガイド面は、前記容器内回転盤の回転中心を通りかつ半径方向に延びた基準線を設定し、その基準線を前記容器内回転盤の回転方向の後側に平行移動した後側基準線と平行な平面又は、前記後側基準線を前記容器内回転盤の回転方向の後側に回転移動して複数設定し、それら複数の後側基準線と平行な複数の平面を連絡してなる屈曲面又は、その屈曲面の各平面にそれぞれ内接する湾曲面によって構成され、
前記導出ガイド壁のうち前記容器内回転盤の回転に伴って前記粉粒体を押圧する導出ガイド面は、前記基準線を前記容器内回転盤の回転方向の前側に平行移動した前側基準線と平行な平面又は、前記前側基準線を前記容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたことを特徴とする請求項１乃至３の何れかに記載の粉粒体供給装置。
【請求項６】
前記後側基準線を前記容器内回転盤の回転方向の後側に回転移動しながら回転中心寄りに平行移動して複数設定し、それら複数の後側基準線と平行な複数の平面を連絡してなる屈曲面の各平面にそれぞれ内接するインボリュート曲線又はアルキメデス渦巻き曲線又は対数渦巻き曲線に平行な湾曲面で前記導入ガイド面の一部又は全部を構成したことを特徴とする請求項５に記載の粉粒体供給装置。
【請求項７】
前記前側基準線を前記容器内回転盤の回転方向の前側に回転移動しながら回転中心寄りに平行移動して複数設定し、それら複数の前側基準線と平行な複数の平面を連絡してなる屈曲面の各平面にそれぞれ内接するインボリュート曲線又はアルキメデス渦巻き曲線又は対数渦巻き曲線に平行な湾曲面で前記導出ガイド面を構成したことを特徴とする請求項５に記載の粉粒体供給装置。
【請求項８】
前記粉粒体排出孔を中心として湾曲しかつ前記粉粒体排出孔の外縁部より外側に位置した中央湾曲面を有した中継ガイド壁を設け、
前記導入ガイド壁のうち前記容器内回転盤の回転に伴って前記粉粒体を押圧する導入ガイド面の終端部を前記中央湾曲面の一端部に連続させると共に、
前記導出ガイド壁のうち前記容器内回転盤の回転に伴って前記粉粒体を押圧する導出ガイド面の始端部を前記中央湾曲面の内側に配置し、
前記粉粒体収容容器の底壁上面における前記粉粒体排出孔の開口縁と前記中央湾曲面と間には、前記導入ガイド壁の終端部から前記中央湾曲面へと移動した粉粒体の一部を前記粉粒体排出孔へと供給し、残りの粉粒体を前記導出ガイド壁の始端部へと移動可能とするための円弧中継路が設けられたことを特徴とする請求項２に記載の粉粒体供給装置。
【請求項９】
前記粉粒体排出孔の開口縁の上方に設けられて、前記粉粒体排出孔の開口縁から前記円弧中継路に向かって突出し、前記円弧中継路を通過する粉粒体の一部を削り取って前記粉粒体排出孔に取り込むための排出孔ガイド部を設けたことを特徴とする請求項８に記載の粉粒体供給装置。
【請求項１０】
前記導入ガイド壁及び前記導出ガイド壁は、前記容器内回転盤における下面の外縁部から中央部に亘って延びた溝の一側壁にて構成され、
前記容器内回転盤の下面のうち前記粉粒体排出孔との対向位置には、前記導入ガイド壁の終端部と前記導出ガイド壁の始端部が連通した中央凹部が陥没形成されたことを特徴とする請求項１，４，５，６，７，８，９の何れかに記載の粉粒体供給装置。
【請求項１１】
前記導入ガイド壁及び前記導出ガイド壁は、前記容器内回転盤における下面の外縁部から中央部に亘って延びた帯状壁で構成され、
前記容器内回転盤の中心部には、前記導入ガイド壁の終端部から前記粉粒体排出孔側に屈曲又は湾曲し、前記導入ガイド壁の終端部からの粉粒体を受け止めて前記粉粒体排出孔上に集める中央堰止壁が設けられ、
前記導出ガイド壁の始端部は、前記粉粒体排出孔に入り切らなかった粉粒体を前記中央堰止壁から受け取ることが可能な位置に配置したことを特徴とする１，４，５，６，７，８，９の何れかに記載の粉粒体供給装置。
【請求項１２】
前記導入ガイド壁のうち前記粉粒体排出孔に上方から重複した部分における前記粉粒体排出孔側を向いた下面と前記溝の内側を向いた内側面との角部の一部を斜めにカットしてガイド凹部を形成し、その凹部の奥面が前記導入ガイド壁の内側面から離れるに従って徐々に下側に向かうように傾斜した降下ガイド面としたことを特徴とする請求項１０に記載の粉粒体供給装置。
【請求項１３】
前記ガイド凹部をスリット状に形成して複数横並びに配置し、それら前記ガイド凹部同士の間を壁を、粉粒体の塊を粉砕可能な粉砕突壁としたことを特徴とする請求項１２に記載の粉粒体供給装置。
【請求項１４】
前記導出ガイド壁に沿って前記粉粒体が移動する粉粒体導出路のうち前記容器内回転盤の側面に開放した側面導出口の上方に配置され、前記容器内回転盤の側面から側方に突出した庇壁と、
前記庇壁の上面のうち前記容器内回転盤の回転方向における前縁部から斜め下方に延びた斜面を有し、前記底面粉粒体堆積部における粉粒体を前記庇壁の上方へと案内する傾斜壁とを備えたことを特徴とする請求項１乃至１３の何れかに記載の粉粒体供給装置。
【請求項１５】
前記容器内回転盤の下面のうち前記容器内回転盤の回転方向における前記導入ガイド壁の後方でありかつ前記導出ガイド壁の前側に配置され、前記容器内回転盤の下面における中央部から外縁部に亘って延びた突壁又は溝の一側壁にて構成され、
前記導入ガイド壁の通過後に前記粉粒体収容容器の底壁上に残った粉粒体を掻き集めかつ前記粉粒体収容容器の底壁上を摺動し、それら掻き集めた粉粒体を前記容器内回転盤の外縁部から前記底面粉粒体堆積部へと案内する粉粒体排除ガイド部を備えたことを特徴とする請求項１乃至１４の何れかに記載の粉粒体供給装置。
【請求項１６】
前記粉粒体排除ガイド部の終端部は、前記容器内回転盤の回転中心と前記粉粒体排除ガイド部の始端部とを通りかつ半径方向に延びた第３の基準線よりも、前記容器内回転盤の回転方向の後方側に配置され、
前記粉粒体排除ガイド部のうち前記容器内回転盤の回転に伴って前記粉粒体を押圧する排除ガイド面は、前記粉粒体ガイド排除部の始端部から終端部に向かうに従って、前記第３の基準線から徐々に離れるように延びた平面又は、前記第３の基準線から徐々に離れるように前記容器内回転盤の回転方向の前方に膨らみつつ延びた湾曲面又は屈曲面によって構成されたことを特徴とする請求項１５に記載の粉粒体供給装置。
【請求項１７】
前記粉粒体排除ガイド部のうち前記容器内回転盤の回転に伴って前記粉粒体を押圧する排除ガイド面は、前記容器内回転盤の回転中心を通りかつ半径方向に延びた基準線を設定し、その基準線を前記容器内回転盤の回転方向の前側に平行移動した前側基準線と平行な平面又は、前記前側基準線を前記容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたことを特徴とする請求項１５に記載の粉粒体供給装置。
【請求項１８】
前記容器内回転盤を円板構造とし、
前記粉粒体収容容器に固定されて、前記容器内回転盤の上面に堆積した粉粒体を堰き止めて前記環状空間へと案内するための上面待ち受けガイド部を備えたことを特徴とする請求項１乃至１７の何れかに記載の粉粒体供給装置。
【請求項１９】
前記粉粒体収容容器の底壁のうち、前記粉粒体排出孔の開口縁から垂下した下端開放の筒壁と、
前記筒壁の下端開口を開閉可能な開閉部材とを設け、
前記開閉部材にて、前記筒壁の下端開口を閉塞した状態で前記容器内回転盤を回転駆動することで、粉粒体を前記筒壁内に蓄積させると共に、
前記開閉部材にて前記筒壁の下端開口を開放して前記筒壁内に蓄積された粉粒体を一度に排出可能としたことを特徴とする請求項１乃至１８の何れかに記載の粉粒体供給装置。
【請求項２０】
前記粉粒体収容容器の底壁のうち前記粉粒体排出孔の側方位置を貫通した備蓄孔と、
前記粉粒体排出孔を中心にして水平面内で回動して前記備蓄孔の上端開口を開閉可能な上端開閉部材と、
前記粉粒体排出孔を中心にして水平面内で回動して前記備蓄孔の下端開口を開閉可能な下端開閉部材とを設け、
前記上端開閉部材にて前記備蓄孔の上端開口を開放しかつ、前記開閉部材及び前記下端開閉部材にて前記筒壁及び前記備蓄孔の各下端開口を閉塞した状態で前記容器内回転盤を回転駆動することで、粉粒体を前記筒壁内及び前記備蓄孔内に蓄積させると共に、
前記開閉部材及び前記下端開閉部材にて前記筒壁及び前記備蓄孔の各下端開口を開放して前記筒壁内及び前記備蓄孔内に蓄積された粉粒体を一度に排出可能としたことを特徴とする請求項１９に記載の粉粒体供給装置。
【発明の詳細な説明】
【技術分野】
【０００１】
本発明は、粉粒体供給装置に関する。
【背景技術】
【０００２】
従来の粉粒体供給装置としては、複数の掻込翼を備えた回転部材を粉粒体収容容器の底壁上で回転させて底壁の中心部に形成された粉粒体排出孔へと粉粒体を案内し、粉粒体排出孔から下方に排出させるものが知られていた（例えば、特許文献１参照）。
【特許文献１】特許２６５３６３１号公報（第３頁右段３９行目〜４３行目、第１Ａ図、第１Ｂ図）
【発明の開示】
【発明が解決しようとする課題】
【０００３】
ところが、上述した従来の粉粒体供給装置では、複数の掻込翼により案内された粉粒体が粉粒体排出孔に集中するので、粉粒体排出孔の開口広さ（排出可能量）に対して過剰な量の粉粒体が案内された場合に、粉粒体排出孔から排出し切れなかった粉粒体によって粉粒体排出孔が詰まる虞があった。
【０００４】
本発明は、上記事情に鑑みてなされたもので、粉粒体排出孔の詰まりを防止することが可能な粉粒体供給装置の提供を目的とする。
【課題を解決するための手段】
【０００５】
上記目的を達成するためになされた請求項１の発明に係る粉粒体供給装置は、粉粒体を収容可能な円筒状の粉粒体収容容器と、粉粒体収容容器の底壁の中心に貫通形成された粉粒体排出孔と、粉粒体収容容器の底壁上面に重ねられると共に、粉粒体収容容器の内周面との間に環状隙間を有し、粉粒体排出孔とその周囲を上方から覆い、粉粒体排出孔を中心にして回転駆動される容器内回転盤と、粉粒体収容容器の底壁上面における外縁部に沿って設けられて粉粒体が堆積される環状堆積部と、容器内回転盤の下面に設けられ、粉粒体排出孔に上方から重複する位置から容器内回転盤の外周面まで延びて、環状堆積部に堆積した粉粒体を掻き集めながら粉粒体収容容器の底壁上を摺動し、それら粉粒体を粉粒体排出孔へと案内する導入ガイド壁と、容器内回転盤の下面のうち容器内回転盤の回転方向で導入ガイド壁から離れた位置に設けられ、粉粒体排出孔に上方から重複する位置から容器内回転盤の外周面まで延びて、粉粒体排出孔から下方に排出し切れなかった粉粒体と共に粉粒体収容容器の底壁上を摺動し、それら粉粒体を容器内回転盤の中央部から外縁部、そして環状堆積部へと案内する導出ガイド壁とを備えたところに特徴を有する。
請求項２に係る粉粒体供給装置は、粉粒体を収容可能な円筒状の粉粒体収容容器と、粉粒体収容容器の底壁の中心に貫通形成された断面円形の粉粒体排出孔と、粉粒体収容容器の底壁上面に重ねられると共に、粉粒体収容容器の内周面との間に環状隙間を有し、粉粒体排出孔とその周囲を上方から覆い、粉粒体排出孔を中心にして回転駆動される容器内回転盤と、粉粒体収容容器の底壁上面における外縁部に沿って設けられて粉粒体が堆積される環状堆積部と、容器内回転盤の下面のうち粉粒体排出孔との対向位置に陥没形成されて、粉粒体排出孔と同心大径の断面略円形の中央凹部と、容器内回転盤の下面に溝状に形成され、中央凹部と環状堆積部との間を連通する粉粒体導入路と、容器内回転盤の下面に溝状に形成されて容器内回転盤の回転方向で導入ガイド壁から離れた位置に配置され、中央凹部と環状堆積部との間を連通する粉粒体導出路と、粉粒体導入路のうち容器内回転盤の回転方向の後側の内側面に配置されて、環状堆積部に堆積した粉粒体を掻き集めながら粉粒体収容容器の底壁上を摺動し、それら粉粒体を粉粒体排出孔へと案内する導入ガイド壁と、粉粒体導出路のうち容器内回転盤の回転方向の後側の内側面に配置されて、粉粒体排出孔から下方に排出し切れなかった粉粒体と共に粉粒体収容容器の底壁上を摺動し、それら粉粒体を容器内回転盤の中央部から外縁部、そして環状堆積部へと案内する導出ガイド壁とを備えたところに特徴を有する。
請求項３の発明に係る粉粒体供給装置は、粉粒体を収容可能な円筒状の粉粒体収容容器と、粉粒体収容容器の底壁の中心に貫通形成された断面円形の粉粒体排出孔と、粉粒体収容容器の底壁上面に重ねられると共に、粉粒体収容容器の内周面との間に環状隙間を有し、粉粒体排出孔とその周囲を上方から覆い、粉粒体排出孔を中心にして回転駆動される容器内回転盤と、粉粒体収容容器の底壁上面における外縁部に沿って設けられて粉粒体が堆積される環状堆積部と、容器内回転盤の下面に突出形成されて、粉粒体排出孔の軸方向から見た形状が粉粒体排出孔の断面形状より大きな径の扇形状をなして、その扇形状の要部分が粉粒体排出孔の断面円形の一部である扇形領域に上方から重複した旋回ベースと、容器内回転盤の下面に突出形成されて水平方向に延びた帯板状をなし、終端部が旋回ベースにおける扇形状の一側面のうち粉粒体排出孔から離間した位置に交差する一方、始端部が容器内回転盤の外周面に位置し、環状堆積部に堆積した粉粒体を掻き集めながら粉粒体収容容器の底壁上を摺動し、その粉粒体を旋回ベースの側面と協働して粉粒体排出孔の近傍まで案内する導入ガイド壁と、容器内回転盤の下面に突出形成されて水平方向に延びた帯板状をなし、始端部が、粉粒体排出孔の近傍でかつ導入ガイド壁の終端部に対して粉粒体排出孔回りに１８０度離して配置される一方、終端部が容器内回転盤の外周面に位置し、粉粒体排出孔から下方に排出し切れなかった粉粒体と共に粉粒体収容容器の底壁上を摺動し、それら粉粒体を容器内回転盤の中央部から外縁部、そして環状堆積部へと案内する導出ガイド壁とを備えたところに特徴を有する。
【０００６】
ここで、本発明における「下面に設けられ」とは、導入ガイド壁及び導出ガイド壁が容器内回転盤の「下面に一体形成された」ものに限定するものではなく、導入ガイド壁及び導出ガイド壁が「容器内回転盤とは別の部品（部位）に形成されて容器内回転盤の下面に隣接配置された」ものも含まれる。
【０００７】
請求項４の発明は、請求項１乃至３の何れかに記載の粉粒体供給装置において、導入ガイド壁の始端部は、容器内回転盤の回転中心と導入ガイド壁の終端部とを通りかつ半径方向に延びた第１の基準線よりも、容器内回転盤の回転方向の前方側に配置され、導入ガイド壁のうち容器内回転盤の回転に伴って粉粒体を押圧する導入ガイド面は、導入ガイド壁の終端部から始端部に向かうに従って、第１の基準線から徐々に離れるように延びた平面又は、第１の基準線から徐々に離れるように容器内回転盤の回転方向の後方に膨らみつつ延びた湾曲面又は屈曲面によって構成され、導出ガイド壁の終端部は、容器内回転盤の回転中心と導出ガイド壁の始端部とを通りかつ半径方向に延びた第２の基準線よりも、容器内回転盤の回転方向の後方側に配置され、導出ガイド壁のうち容器内回転盤の回転に伴って粉粒体を押圧する導出ガイド面は、導出ガイド壁の始端部から終端部に向かうに従って、第２の基準線から徐々に離れるように延びた平面又は、第２の基準線から徐々に離れるように容器内回転盤の回転方向の前方に膨らみつつ延びた湾曲面又は屈曲面によって構成されたところに特徴を有する。
【０００８】
請求項５の発明は、請求項１乃至３の何れかに記載の粉粒体供給装置において、導入ガイド壁のうち容器内回転盤の回転に伴って粉粒体を押圧する導入ガイド面は、容器内回転盤の回転中心を通りかつ半径方向に延びた基準線を設定し、その基準線を容器内回転盤の回転方向の後側に平行移動した後側基準線と平行な平面又は、後側基準線を容器内回転盤の回転方向の後側に回転移動して複数設定し、それら複数の後側基準線と平行な複数の平面を連絡してなる屈曲面又は、その屈曲面の各平面にそれぞれ内接する湾曲面によって構成され、導出ガイド壁のうち容器内回転盤の回転に伴って粉粒体を押圧する導出ガイド面は、基準線を容器内回転盤の回転方向の前側に平行移動した前側基準線と平行な平面又は、前側基準線を容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたところに特徴を有する。
【０００９】
請求項６の発明は、請求項５に記載の粉粒体供給装置において、後側基準線を容器内回転盤の回転方向の後側に回転移動しながら回転中心寄りに平行移動して複数設定し、それら複数の後側基準線と平行な複数の平面を連絡してなる屈曲面の各平面にそれぞれ内接するインボリュート曲線又はアルキメデス渦巻き曲線又は対数渦巻き曲線に平行な湾曲面で導入ガイド面の一部又は全部を構成したところに特徴を有する。
【００１０】
請求項７の発明は、請求項５に記載の粉粒体供給装置において、前側基準線を容器内回転盤の回転方向の前側に回転移動しながら回転中心寄りに平行移動して複数設定し、それら複数の前側基準線と平行な複数の平面を連絡してなる屈曲面の各平面にそれぞれ内接するインボリュート曲線又はアルキメデス渦巻き曲線又は対数渦巻き曲線に平行な湾曲面で導出ガイド面を構成したところに特徴を有する。
【００１１】
請求項８の発明は、請求項２に記載の粉粒体供給装置において、粉粒体排出孔を中心として湾曲しかつ粉粒体排出孔の外縁部より外側に位置した中央湾曲面を有した中継ガイド壁を設け、導入ガイド壁のうち容器内回転盤の回転に伴って粉粒体を押圧する導入ガイド面の終端部を中央湾曲面の一端部に連続させると共に、導出ガイド壁のうち容器内回転盤の回転に伴って粉粒体を押圧する導出ガイド面の始端部を中央湾曲面の内側に配置し、粉粒体収容容器の底壁上面における粉粒体排出孔の開口縁と中央湾曲面と間には、導入ガイド壁の終端部から中央湾曲面へと移動した粉粒体の一部を粉粒体排出孔へと供給し、残りの粉粒体を導出ガイド壁の始端部へと移動可能とするための円弧中継路が設けられたところに特徴を有する。
【００１２】
請求項９の発明は、請求項８に記載の粉粒体供給装置において、粉粒体排出孔の開口縁の上方に設けられて、粉粒体排出孔の開口縁から円弧中継路に向かって突出し、円弧中継路を通過する粉粒体の一部を削り取って粉粒体排出孔に取り込むための排出孔ガイド部を設けたところに特徴を有する。
【００１３】
請求項１０の発明は、請求項１，４，５，６，７，８，９の何れかに記載の粉粒体供給装置において、導入ガイド壁及び導出ガイド壁は、容器内回転盤における下面の外縁部から中央部に亘って延びた溝の一側壁にて構成され、容器内回転盤の下面のうち粉粒体排出孔との対向位置には、導入ガイド壁の終端部と導出ガイド壁の始端部が連通した中央凹部が陥没形成されたところに特徴を有する。
【００１４】
請求項１１の発明は、請求項１，４，５，６，７，８，９の何れかに記載の粉粒体供給装置において、導入ガイド壁及び導出ガイド壁は、容器内回転盤における下面の外縁部から中央部に亘って延びた帯状壁で構成され、容器内回転盤の中心部には、導入ガイド壁の終端部から粉粒体排出孔側に屈曲又は湾曲し、導入ガイド壁の終端部からの粉粒体を受け止めて粉粒体排出孔上に集める中央堰止壁が設けられ、導出ガイド壁の始端部は、粉粒体排出孔に入り切らなかった粉粒体を中央堰止壁から受け取ることが可能な位置に配置したところに特徴を有する。
【００１５】
請求項１２の発明は、請求項１０に記載の粉粒体供給装置において、導入ガイド壁のうち粉粒体排出孔に上方から重複した部分における粉粒体排出孔側を向いた下面と溝の内側を向いた内側面との角部の一部を斜めにカットしてガイド凹部を形成し、その凹部の奥面が導入ガイド壁の内側面から離れるに従って徐々に下側に向かうように傾斜した降下ガイド面としたところに特徴を有する。
【００１６】
請求項１３の発明は、請求項１２に記載の粉粒体供給装置において、ガイド凹部をスリット状に形成して複数横並びに配置し、それら前記ガイド凹部同士の間を壁を、粉粒体の塊を粉砕可能な粉砕突壁としたところに特徴を有する。
【００１７】
請求項１４の発明は、請求項１乃至１３の何れかに記載の粉粒体供給装置において、導出ガイド壁に沿って粉粒体が移動する粉粒体導出路のうち容器内回転盤の側面に開放した側面導出口の上方に配置され、容器内回転盤の側面から側方に突出した庇壁と、庇壁の上面のうち容器内回転盤の回転方向における前縁部から斜め下方に延びた斜面を有し、底面粉粒体堆積部における粉粒体を庇壁の上方へと案内する傾斜壁とを備えたところに特徴を有する。
【００１８】
請求項１５の発明は、請求項１乃至１４の何れかに記載の粉粒体供給装置において、容器内回転盤の下面のうち容器内回転盤の回転方向における導入ガイド壁の後方でありかつ導出ガイド壁の前側に配置され、容器内回転盤の下面における中央部から外縁部に亘って延びた突壁又は溝の一側壁にて構成され、導入ガイド壁の通過後に粉粒体収容容器の底壁上に残った粉粒体を掻き集めかつ粉粒体収容容器の底壁上を摺動し、それら掻き集めた粉粒体を容器内回転盤の外縁部から底面粉粒体堆積部へと案内する粉粒体排除ガイド部を備えたところに特徴を有する。
【００１９】
請求項１６の発明は、請求項１５に記載の粉粒体供給装置において、粉粒体排除ガイド部の終端部は、容器内回転盤の回転中心と粉粒体排除ガイド部の始端部とを通りかつ半径方向に延びた第３の基準線よりも、容器内回転盤の回転方向の後方側に配置され、粉粒体排除ガイド部のうち容器内回転盤の回転に伴って粉粒体を押圧する排除ガイド面は、粉粒体ガイド排除部の始端部から終端部に向かうに従って、第３の基準線から徐々に離れるように延びた平面又は、第３の基準線から徐々に離れるように容器内回転盤の回転方向の前方に膨らみつつ延びた湾曲面又は屈曲面によって構成されたところに特徴を有する。
【００２０】
請求項１７の発明は、請求項１５に記載の粉粒体供給装置において、粉粒体排除ガイド部のうち容器内回転盤の回転に伴って粉粒体を押圧する排除ガイド面は、容器内回転盤の回転中心を通りかつ半径方向に延びた基準線を設定し、その基準線を容器内回転盤の回転方向の前側に平行移動した前側基準線と平行な平面又は、前側基準線を容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたところに特徴を有する。
【００２１】
請求項１８の発明は、請求項１乃至１７の何れかに記載の粉粒体供給装置において、容器内回転盤を円板構造とし、粉粒体収容容器に固定されて、容器内回転盤の上面に堆積した粉粒体を堰き止めて環状空間へと案内するための上面待ち受けガイド部を備えたところに特徴を有する。
【００２２】
請求項１９の発明は、請求項１乃至１８の何れかに記載の粉粒体供給装置において、粉粒体収容容器の底壁のうち、粉粒体排出孔の開口縁から垂下した下端開放の筒壁と、筒壁の下端開口を開閉可能な開閉部材とを設け、開閉部材にて、筒壁の下端開口を閉塞した状態で容器内回転盤を回転駆動することで、粉粒体を筒壁内に蓄積させると共に、開閉部材にて筒壁の下端開口を開放して筒壁内に蓄積された粉粒体を一度に排出可能としたところに特徴を有する。
【００２３】
請求項２０の発明は、請求項１９に記載の粉粒体供給装置において、粉粒体収容容器の底壁のうち粉粒体排出孔の側方位置を貫通した備蓄孔と、粉粒体排出孔を中心にして水平面内で回動して備蓄孔の上端開口を開閉可能な上端開閉部材と、粉粒体排出孔を中心にして水平面内で回動して備蓄孔の下端開口を開閉可能な下端開閉部材とを設け、上端開閉部材にて備蓄孔の上端開口を開放しかつ、開閉部材及び下端開閉部材にて筒壁及び備蓄孔の各下端開口を閉塞した状態で容器内回転盤を回転駆動することで、粉粒体を筒壁内及び備蓄孔内に蓄積させると共に、開閉部材及び下端開閉部材にて筒壁及び備蓄孔の各下端開口を開放して筒壁内及び備蓄孔内に蓄積された粉粒体を一度に排出可能としたところに特徴を有する。
【発明の効果】
【００２４】
［請求項１〜７の発明］
請求項１，２，３の発明によれば、容器内回転盤が回転すると、粉粒体収容容器の底壁上面における外縁部の環状堆積部に堆積した粉粒体が、容器内回転盤の下面に設けられた導入ガイド壁によって容器内回転盤の下方に取り込まれる。そして、容器内回転盤の回転に伴い、導入ガイド壁が容器内回転盤の下方に取り込まれた粉粒体を押しながら粉粒体収容容器の底壁上を摺動して、その粉粒体を容器内回転盤の外縁部から中央部へと案内し、容器内回転盤の中央部で粉粒体排出孔から下方へと粉粒体が排出される。
【００２５】
ここで、例えば、導入ガイド壁によって案内された粉粒体の量が、粉粒体排出孔の開口広さ（排出可能量）に対して過剰であって、案内された粉粒体の一部が粉粒体排出孔から排出し切れなかった場合には、容器内回転盤における下面の中央部から外縁部に亘って延びた導出ガイド壁が、排出し切れなかった粉粒体を押しながら粉粒体収容容器の底壁上を摺動して、その粉粒体を容器内回転盤の中央部から外縁部、そして環状堆積部へと案内する。即ち、粉粒体排出孔から排出し切れなかった粉粒体は、導出ガイド壁によって直ちに排除されるので、粉粒体排出孔の詰まりを防止することができる。
【００２６】
ここで、上記請求項１，２，３の発明に係る作用効果を奏する導入ガイド壁及び導入ガイド面の構成としては、以下のものが挙げられる。例えば、請求項３の発明のように、導入ガイド壁の始端部は、容器内回転盤の回転中心と導入ガイド壁の終端部とを通りかつ回転半径方向に延びた第１の基準線よりも、容器内回転盤の回転方向の前方側に配置され、導入ガイド面は、導入ガイド壁の終端部から始端部に向かうに従って、第１の基準線から徐々に離れるように延びた平面又は、第１の基準線から徐々に離れるように容器内回転盤の回転方向の後方に膨らみつつ延びた湾曲面又は屈曲面によって構成されたものである。
【００２７】
或いは、請求項５の発明のように、導入ガイド面は、容器内回転盤の回転中心を通りかつ半径方向に延びた基準線を設定し、その基準線を容器内回転盤の回転方向の後側に平行移動した後側基準線と平行な平面又は、後側基準線を容器内回転盤の回転方向の後側に回転移動して複数設定し、それら複数の後側基準線と平行な複数の平面を連絡してなる屈曲面又は、その屈曲面の各平面にそれぞれ内接する湾曲面によって構成されたものである。
【００２８】
より具体的には、請求項６の発明のように、後側基準線を容器内回転盤の回転方向の後側に回転移動しながら回転中心寄りに平行移動して複数設定し、それら複数の後側基準線と平行な複数の平面を連絡してなる屈曲面の各平面にそれぞれ内接するインボリュート曲線又はアルキメデス渦巻き曲線又は対数渦巻き曲線に平行な湾曲面で導入ガイド面の一部又は全部を構成してもよい。
【００２９】
なお、導入ガイド面は、上記した平面又は湾曲面又は屈曲面の何れか単独で構成してもよいし、平面と湾曲面又は、湾曲面と屈曲面の複合面で構成してもよい。
【００３０】
また、上述した請求項１，２，３の発明に係る作用効果を奏する導出ガイド壁及び導出ガイド面の構成としては、以下のものが挙げられる。例えば、請求項４の発明のように、導出ガイド壁の終端部は、容器内回転盤の回転軸と導出ガイド壁の始端部とを通りかつ回転半径方向に延びた第２の基準線よりも、容器内回転盤の回転方向の後方側に配置され、導出ガイド面は、導出ガイド壁の始端部から終端部に向かうに従って、第２の基準線から徐々に離れるように延びた平面又は、第２の基準線から徐々に離れるように容器内回転盤の回転方向の前方に膨らみつつ延びた湾曲面又は屈曲面によって構成されたものである。
【００３１】
或いは、請求項５の発明のように、導出ガイド面は、基準線を容器内回転盤の回転方向の前側に平行移動した基準線と平行な平面又は、前側基準線を容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたものである。
【００３２】
より具体的には、請求項７の発明のように、前側基準線を容器内回転盤の回転方向の前側に回転移動しながら回転中心寄りに平行移動して複数設定し、それら複数の前側基準線と平行な複数の平面を連絡してなる屈曲面の各平面にそれぞれ内接するインボリュート曲線又はアルキメデス渦巻き曲線又は対数渦巻き曲線に平行な湾曲面で導出ガイド面を構成してもよい。
【００３３】
なお、導入ガイド面は、上記した平面又は湾曲面又は屈曲面の何れか単独で構成してもよいし、平面と湾曲面又は、湾曲面と屈曲面の複合面で構成してもよい。
【００３４】
［請求項８の発明］
請求項８の発明によれば、導入ガイド壁に押されて容器内回転盤の外縁部から中央部へと移動した粉粒体は、直ちに粉粒体排出孔へと落下することなく、粉粒体収容容器の底壁上面における粉粒体排出孔の開口縁と、粉粒体排出孔の外縁部より外側に位置した中央湾曲面との間に設けられた円弧中継路に進入する。その円弧中継路を移動する途中で、粉粒体の一部が粉粒体排出孔へと供給され、残りが円弧中継路を通過して導出ガイド壁の始端部へと移動する。そして、導出ガイド壁の始端部へと移動した粉粒体は、導出ガイド壁に押されて、容器内回転盤の外縁部、さらに環状堆積部へと案内される。
【００３５】
［請求項９の発明］
請求項９の発明によれば、排出孔ガイド部によって円弧中継路を移動する粉粒体の一部を強制的に粉粒体排出孔に取り込むことができる。また、排出孔ガイド部の円弧中継路側への突出量を変化させることで、粉粒体排出孔に取り込まれる粉粒体の量を調節することができる。
【００３６】
［請求項１０の発明］
請求項１０の発明によれば、容器内回転盤の下方に取り込まれた粉粒体は導入ガイド壁を構成する溝内へと進入する。この粉粒体は、導入ガイド壁に押されて溝内を容器内回転盤の下面の外縁部から中央部へと移動し、粉粒体排出孔との対向位置に陥没形成された中央凹部を経て粉粒体排出孔から排出される一方、粉粒体排出孔から排出し切れなかった粉粒体は、中央凹部と連通した導出ガイド壁の始端部へと移動する。そして、導出ガイド壁を構成する溝内を容器内回転盤の中央部から外縁部へと移動し、最終的に環状堆積部へと戻される。
【００３７】
［請求項１１の発明］
請求項１１の発明によれば、粉粒体は、帯状壁で構成された導入ガイド壁に押されて、容器内回転盤の中央部へと移動し、容器内回転盤の中心部に設けられた中央堰止壁に受け止められ、さらに中央堰止壁によって粉粒体排出孔上に集められる。そして、粉粒体排出孔上に集められた粉粒体が粉粒体排出孔から下方に排出される一方、粉粒体排出孔から排出し切れなかった粉粒体は、中央堰止壁から導出ガイド壁の始端部へと受け渡されて、その導出ガイド壁により容器内回転盤の外縁部、さらに環状堆積部へと案内される。
【００３８】
［請求項１２の発明］
請求項１２の発明によれば、導入ガイド壁によって容器内回転盤の下面のうち粉粒体排出孔との対向位置へと進入した粉粒体を、降下ガイド面で受けてその下方の粉粒体排出孔へと案内することができる。
【００３９】
［請求項１３の発明］
請求項１３の発明によれば、粉粒体同士が付着して塊状になった粉粒体は、粉粒体排出孔に進入する前に粉砕突壁によって粉砕される。これにより、粉粒体の塊によって粉粒体排出孔が詰まることを防止することができる。
【００４０】
［請求項１４の発明］
請求項１４の発明によれば、環状堆積部に堆積した粉粒体が傾斜壁の斜面を登って庇壁の上方へと案内されるので、粉粒体導出路の側面導出口の側方には、側面導出口から排出される粉粒体を受け入れることが可能な空間が形成される。これにより、導出ガイド壁によって容器内回転盤の中央部から外縁部へと案内された粉粒体を、環状堆積部にスムーズに送り出すことができる。
【００４１】
［請求項１５〜１７の発明］
請求項１５の発明によれば、導入ガイド壁の通過後に底壁上に残った粉粒体が、粉粒体収容容器から排出不可能なデッドストックになることを防ぐことができる。
【００４２】
ここで、上記請求項１５の発明に係る作用効果を奏する粉粒体排除ガイド部及び排除ガイド面の構成としては、以下のものが挙げられる。即ち、請求項１６の発明のように、粉粒体排除ガイド部の終端部は、容器内回転盤の回転軸と粉粒体排除ガイド部の始端部とを通りかつ回転半径方向に延びた第３の基準線よりも、容器内回転盤の回転方向の後方側に配置され、排除ガイド面は、粉粒体ガイド排除部の始端部から終端部に向かうに従って、第３の基準線から徐々に離れるように延びた平面又は、第３の基準線から徐々に離れるように容器内回転盤の回転方向の前方に膨らみつつ延びた湾曲面又は屈曲面によって構成されたものである。
【００４３】
或いは、請求項１７の発明のように、排除ガイド面は、容器内回転盤の回転中心を通りかつ半径方向に延びた基準線を設定し、その基準線を容器内回転盤の回転方向の前側に平行移動した前側基準線と平行な平面又は、前側基準線を容器内回転盤の回転方向の前側に回転移動して複数設定し、それら複数の前側基準線と平行な複数の平面を連絡してなる屈曲面又は、その屈曲面の各平面にそれぞれ内接する湾曲面によって構成されたものである。
【００４４】
［請求項１８の発明］
請求項１８の発明によれば、容器内回転盤の上面に堆積した粉粒体を、容器内回転盤の回転に伴って底壁の環状堆積部へと流下させることができる。
【００４５】
［請求項１９の発明］
請求項１９の発明によれば、例えば、受容器を次々に取り替えて複数の受容器に粉粒体を量り取る場合において、受容器を取り替えている間に、筒壁の下端開口を閉塞部材にて閉塞した状態で容器内回転盤を回転駆動して、筒壁内に粉粒体を蓄積させておき、取り替え完了後に、筒壁の下端開口を開放して筒壁内に蓄積された粉粒体を次の受容器へと一度に排出することができるから、受容器の取り替え中に容器内回転盤を停止して粉粒体排出孔からの粉粒体の排出を中断した場合に比べて、短時間で効率よく複数の受容器に粉粒体を量り取ることができる。
【００４６】
［請求項２０の発明］
請求項２０の発明によれば、例えば、受容器を次々に取り替えて複数の受容器に粉粒体を量り取る場合において、受容器を取り替えている間、上端開閉部材にて備蓄孔の上端開口が開放しかつ、開閉部材と下端開閉部材にて筒壁と備蓄孔の各下端開口が閉塞した状態で容器内回転盤を回転駆動して、筒壁及び備蓄孔内に粉粒体を蓄積させておき、取り替え完了後に、筒壁及び備蓄孔の各下端開口を開放して、筒壁及び備蓄孔内に蓄積された粉粒体を取り替えられた次の受容器へと一度に排出することができるから、受容器の取り替え中に容器内回転盤を停止して粉粒体排出孔からの粉粒体の排出を中断した場合に比べて、短時間で効率よく複数の受容器に粉粒体を量り取ることができる。また、筒壁に加えて備蓄孔を備えたことでより多くの粉粒体を蓄積することが可能になる。
【発明を実施するための最良の形態】
【００４７】
［第１実施形態］
以下、本発明に係る第１実施形態を、図１〜図１４に基づいて説明する。図１には、本発明の粉粒体供給装置９０を備えた粉粒体計量システム１００の全体が示されている。同図に示すように、粉粒体計量システム１００は、計量器、具体的には電子天秤６０の上方に粉粒体供給装置９０を備えてなる。粉粒体供給装置９０は、電子天秤６０の秤量皿６２の側方を囲むように設置された風防６１内に宙吊り状態に配置されている。詳細には、粉粒体供給装置９０は、風防６１の上端縁に係止されたブラケット１９によって秤量皿６２の真上位置に配置されており、粉粒体を収容した粉粒体収容容器１０から、秤量皿６２上に載置された受容器９９（秤量カップやバイアル瓶等）に向けて粉粒体を排出する構成となっている。
【００４８】
図２及び図３に示すように、粉粒体収容容器１０は下端有底の円筒状をなしており、粉粒体収容容器１０の底壁１０１の中心には、粉粒体排出孔１２１が貫通形成されている。また、底壁１０１の下面側における粉粒体排出孔１２１の開口縁から鉛直下方に向かって粉粒体排出筒１２が突出している。
【００４９】
粉粒体排出孔１２１の内側には、粉粒体の通過を許容した多孔壁３０が備えられている。図１１に示すように、多孔壁３０は、薄肉円板に複数の粉粒体通過孔３０１が貫通形成された構造をなし、着脱可能に取り付けられている。具体的には、多孔壁３０は、粉粒体排出筒１２の下端開口１２９から挿入された円筒体３１と、粉粒体排出孔１２１の内側に形成された段差部１２２との間で、その外周縁部が挟持されている。円筒体３１を粉粒体排出筒１２から抜け止めするために、粉粒体排出筒１２の外側には抜け止めキャップ３２が螺合されており、抜け止めキャップ３２の底壁で円筒体３１が上方へと押し付けられている。また、抜け止めキャップ３２の外周面には雄螺旋部が形成されており、ここに、下端有底の下端キャップ３３を螺合することで粉粒体排出筒１２の下端開口を封止可能となっている。即ち、粉粒体収容容器１０を、粉粒体の保存容器として使用可能となっている。
【００５０】
多孔壁３０に形成された粉粒体通過孔３０１は、粉粒体同士が付着（架橋）して形成された粉粒体アーチにより閉塞されると共に、その粉粒体アーチが崩れた状態で粉粒体が通過可能な大きさになっている。具体的には、粉粒体通過孔３０１の大きさは粉粒体の粒径の少なくとも数倍から十数倍の大きさになっている。
【００５１】
ここで、粉粒体の性状（粒径や凝集性）等によって、粉粒体アーチが形成可能な粉粒体通過孔３０１の大きさは異なるため、粉粒体供給装置９０には、粉粒体通過孔３０１の大きさが異なる複数種類の多孔壁３０が用意されており、粉粒体供給装置９０を使用する前に、量り取る粉粒体に適した多孔壁３０を選んで取り替えることができるようになっている。なお、多孔壁３０はパンチングメタルでもよいし、エキスパンドメタルや織網等で構成してもよい。また、多孔壁３０は必要に応じて取り付ければよく、多孔壁３０を取り付けずに粉粒体の供給を行っても構わない。
【００５２】
図２に示すように粉粒体収容容器１０の上端は開放しており、上端キャップ１３にて閉じられている。上端キャップ１３は粉粒体収容容器１０の上端外周面に螺合されており、その下端縁がブラケット１９に形成された図示しない貫通孔の周縁部に係止することで、粉粒体供給装置９０が宙吊り状態に保持されている（図１参照）。
【００５３】
また、上端キャップ１３の上面には、図示しない投入口が形成されている。投入口は上面中央からずれた位置に偏在して設けられており、この投入口から粉粒体収容容器１０内に粉粒体を供給可能となっている。
【００５４】
上端キャップ１３の上面中央には供給モータ１４が固定されている。供給モータ１４に連結された回転駆動シャフト１４１は、図２に示すように粉粒体収容容器１０内でその中心軸に沿って延びている。そして、回転駆動シャフト１４１の下端部には容器内回転盤４０が取り付けられている。
【００５５】
容器内回転盤４０は、粉粒体収容容器１０の底壁１０１上面に重ねて配置され、粉粒体収容容器１０の底壁１０１のうち、粉粒体排出孔１２１とその周囲を覆うように、粉粒体収容容器１０内に遊嵌している。具体的には、容器内回転盤４０は粉粒体収容容器１０の内径よりも小径でかつ、粉粒体排出孔１２１の内径よりも大径な平らな円板（図４参照）で構成されている。そして、容器内回転盤４０は、その下面を粉粒体収容容器１０の底壁１０１に摺接させながら回転する。
【００５６】
上端キャップ１３の投入口（図示せず）から粉粒体収容容器１０内に投入された粉粒体は、一旦、容器内回転盤４０上に堆積する。この堆積した粉粒体を、容器内回転盤４０の周縁部と粉粒体収容容器１０の側壁との間の環状隙間３５に掻き出すために、粉粒体収容容器１０の内側には上面待ち受けガイド３９が設けられている。図２に示すように上面待ち受けガイド３９は、容器内回転盤４０の上面に隣接配置された水平板３９１と、水平板３９１の基端部から垂直上方に延びてその上端部が上端キャップ１３に固定された垂直板３９２とから構成される。
【００５７】
そして、図３に示すように、水平板３９１の平面を供給モータ１４の回転駆動シャフト１４１の側面に当接させて取り付けることで、容器内回転盤４０の回転方向（図３の実線矢印の方向）に対して水平板３９１が傾斜し、容器内回転盤４０の回転時に、容器内回転盤４０上の粉粒体が水平板３９１に堰き止められて容器内回転盤４０の外縁部に向けて案内される。また、水平板３９１の基端部は、粉粒体収容容器１０の側壁に隣接する位置まで延びているので、水平板３９１に案内された粉粒体を底壁１０１の外縁部、即ち、底壁１０１のうち容器内回転盤４０の外縁部に沿って設けられた環状堆積部１０２へと流下させる。さらに、上面待ち受けガイド３９が粉粒体収容容器１０内の粉粒体を撹拌するので、粉粒体収容容器１０内で粉粒体が固まったり、詰まったりすることを防ぐことができる。これにより、容器内回転盤４０上の粉粒体を安定して環状堆積部１０２へと流下させることが可能となる。
【００５８】
図４に示すように容器内回転盤４０の下面には、底壁１０１の環状堆積部１０２に堆積した粉粒体を容器内回転盤４０の下方に取り込んで粉粒体排出孔１２１へと案内する為の導入ガイド壁４１１が設けられている。詳細には、容器内回転盤４０の下面には、容器内回転盤４０の外縁部から中央部から亘って延びた溝形構造の粉粒体導入路４１が形成されている。粉粒体導入路４１は、全体として容器内回転盤４０の回転方向と逆側に膨らむように緩やかに湾曲して延びており、その粉粒体導入路４１の両側壁のうち、容器内回転盤４０の回転方向における後方側の側壁が前記導入ガイド壁４１１（図５参照）となっている。
【００５９】
図６（Ａ）に示すように、導入ガイド壁４１１の始端部４１３は、容器内回転盤４０の回転中心Ｃ１と導入ガイド壁４１１の終端部４１４とを通りかつ半径方向に延びた基準線Ｌ１（本発明の「第１の基準線」に相当する）よりも、容器内回転盤４０の回転方向の前側に配置されている。また、導入ガイド壁４１１の始端部４１３と終端部４１４との間に延びて、容器内回転盤４０の回転に伴って粉粒体を押圧する導入ガイド面４１２は、導入ガイド壁４１１の終端部４１４から始端部４１３に向かうに従って、基準線Ｌ１から徐々に離れるように容器内回転盤４０の回転方向の後方に膨らみつつ延びた湾曲面によって構成されている。
【００６０】
ここで、導入ガイド面４１２は以下のような構成であるとも言える。即ち、図６（Ｂ）に示すように、容器内回転盤４０の回転中心Ｃ１を通りかつ半径方向に延びた基準線Ｘｎ（ｎ＝１，２，３・・・）を設定し、その基準線Ｘｎを容器内回転盤４０の回転方向の後側（図６（Ｂ）における矢印Ｙｎ（ｎ＝１，２，３・・・）で示された方向）に平行移動した後側基準線Ｘｎ’を、容器内回転盤４０の回転方向の後側に回転移動しながら回転中心Ｃ１寄りに平行移動して複数設定したときに、導入ガイド面４１２は、複数の後側基準線Ｘｎ’（図６（Ｂ）における後側基準線Ｘ１’，Ｘ２’，Ｘ３’）と平行な複数の平面を連絡してなる屈曲面の各平面にそれぞれ内接する湾曲面によって構成されている。
【００６１】
図７（Ａ）に示すように、導入ガイド壁４１１（導入ガイド面４１２）の始端部４１３には、容器内回転盤４０の外周面から側方に突出した粉粒体取込突起４６が備えられており、この粉粒体取込突起４６が、容器内回転盤４０の回転時に、環状堆積部１０２に堆積した粉粒体を粉粒体導入路４１内に取り込むようになっている。
【００６２】
粉粒体導入路４１に取り込まれた粉粒体は、容器内回転盤４０の回転に伴い、底壁１０１上面を摺動する導入ガイド壁４１１の導入ガイド面４１２に押され、さらには、後から粉粒体導入路４１に流入してきた粉粒体に押されて、容器内回転盤４０の中央部に向かって移動する（図５参照）。
【００６３】
図５に示すように、容器内回転盤４０の下面には、導入ガイド壁４１１の通過後に底壁１０１上に残った粉粒体を掻き集めて環状堆積部１０２へと案内するための粉粒体排除ガイド部４７が複数（本実施形態では３つ）設けられている。これら粉粒体排除ガイド部４７は、容器内回転盤４０の回転方向における導入ガイド壁４１１の後方でありかつ、後述する導出ガイド壁４２１の前方に配置されている。粉粒体排除ガイド部４７は、容器内回転盤４０の下面における中央部から外縁部に亘って延びた溝４７１（図４（Ｂ）参照）のうち、回転方向の後方側の側壁にて構成されている。そして、粉粒体排除ガイド部４７は、全体として、容器内回転盤４０の回転方向の前方に向かって膨らむように湾曲して延びている。
【００６４】
詳細には、図１２に示すように、粉粒体排除ガイド部４７の終端部４７４は、容器内回転盤４０の回転中心Ｃ１と粉粒体排除ガイド部４７の始端部４７３とを通りかつ半径方向に延びた基準線Ｌ３（本発明の「第３の基準線」に相当する）よりも、容器内回転盤４０の回転方向（図１２における時計回り方向）の後方側に配置されている。また、粉粒体排除ガイド部４７のうち、粉粒体排除ガイド部４７の始端部４７３と終端部４７４との間に延びて、容器内回転盤４０の回転に伴って粉粒体を押圧する排除ガイド面４７２は、粉粒体排除ガイド部４７の始端部４７３から終端部４７４に向かうに従って、基準線Ｌ３から徐々に離れるように容器内回転盤４０の回転方向の前方に膨らみつつ延びた湾曲面によって構成されている。
【００６５】
また、排除ガイド面４７２は、以下のような構成であるとも言える。即ち、図１３（Ａ）に示すように、容器内回転盤４０の回転中心Ｃ１を通りかつ半径方向に延びた基準線Ｘｎ（ｎ＝１，２・・・）を設定し、その基準線Ｘｎを容器内回転盤４０の回転方向の前側（図１３（Ａ）における矢印Ｙｎ（ｎ＝１，２・・・）で示された方向）に平行移動した前側基準線Ｘｎ’を容器内回転盤４０の回転方向の前側に回転移動しながら回転中心Ｃ１寄りに平行移動して複数設定したときに、排除ガイド面４７２は、それら複数の前側基準線Ｘｎ’と平行な複数の平面を連絡してなる屈曲面の各平面にそれぞれ内接する湾曲面によって構成されている。なお、本実施形態において排除ガイド面４７２は湾曲面であるが屈曲面でもよい。
【００６６】
そして、容器内回転盤４０の回転により、粉粒体排除ガイド部４７が底壁１０１上を摺動することで、底壁１０１上に残った粉粒体が溝４７１内に取り込まれ、図１２において太線矢印で示したように排除ガイド面４７２に押されて溝４７１内を移動し、容器内回転盤４０の外縁部、さらには、環状堆積部１０２へと移動する。これにより、導入ガイド壁４１１の通過後に底壁１０１上に残った粉粒体がデッドストックになることを防ぐことができる。
【００６７】
容器内回転盤４０の下面中央には、中央凹部４３が形成されている。中央凹部４３は、容器内回転盤４０の下面のうち、粉粒体排出孔１２１との対向位置を陥没させた構造をなし、導入ガイド壁４１１（粉粒体導入路４１）の終端部４１４と連通している。また、図９に示すように、中央凹部４３には、導入ガイド壁４１１の終端部４１４から離れるに従って徐々に下方に向かった降下ガイド面４３１が形成されている。そして、導入ガイド壁４１１の終端部４１４から中央凹部４３へと移動した粉粒体をこの降下ガイド面４３１で受けて、下方の粉粒体排出孔１２１へと案内するようになっている。
【００６８】
図１０に示すように、降下ガイド面４３１からは鉛直下方（粉粒体排出孔１２１）に向かって粉砕突壁４３２が張り出している。導入ガイド壁４１１の終端部４１４に到達した粉粒体が塊になっていた場合には、この粉砕突壁４３２によって細かく粉砕されてから粉粒体排出孔１２１へと供給されるので、塊状の粉粒体がそのまま粉粒体排出孔１２１へ進入することによる粉粒体排出孔１２１の詰まりを防止することができる。
【００６９】
さらに、容器内回転盤４０が回転すると、多孔壁３０の各粉粒体通過孔３０１を閉塞した粉粒体アーチが、多孔壁３０の上面近傍を旋回する粉砕突壁４３２によって崩されて、粉粒体が多孔壁３０を通過して下方に排出される。
【００７０】
ところで、図５に示すように容器内回転盤４０の下面には、導入ガイド壁４１１及び粉粒体排除ガイド部４７とは別に、導出ガイド壁４２１が設けられている。導出ガイド壁４２１は、導入ガイド壁４１１によって容器内回転盤４０の中央部（中央凹部４３）へと案内された粉粒体のうち、粉粒体排出孔１２１から排出し切れなかった粉粒体を、環状堆積部１０２へと返送するために、以下の構成を備えている。
【００７１】
即ち、図４（Ｂ）に示すように容器内回転盤４０の下面には、容器内回転盤４０の下面における中央部（中央凹部４３）から外縁部に亘って延びた溝形構造の粉粒体導出路４２が形成されている。粉粒体導出路４２は、容器内回転盤４０の中央部から回転方向の前方に膨らむように緩やかに湾曲しつつ延び、途中で回転方向の後方側に屈折して容器内回転盤４０の外縁部まで直線状に延びている（図５参照）。その粉粒体導出路４２の両側壁のうち、容器内回転盤４０の回転方向の後側の側壁が導出ガイド壁４２１となっている。
【００７２】
図１２に示すように、導出ガイド壁４２１の終端部４２４は、容器内回転盤４０の回転中心Ｃ１と導出ガイド壁４２１の始端部４２３とを通りかつ半径方向に延びた基準線Ｌ２（本発明の「第２の基準線」に相当する）よりも、容器内回転盤４０の回転方向の後方側に配置されている。また、導出ガイド壁４２１のうち容器内回転盤４０の回転に伴って粉粒体を押圧する導出ガイド面４２２は、導出ガイド壁４２１の始端部４２３から終端部４２４に向かうに従って、基準線Ｌ２から徐々に離れるように容器内回転盤４０の回転方向の前方に膨らみつつ湾曲した湾曲面と、その湾曲面の終端で容器内回転盤４０の回転方向の後方側に折れ曲がって基準線Ｌ２から離れるように直線状に延びた平面とによって構成されている。
【００７３】
また、導出ガイド面４２２は、以下のような構成であるとも言える。即ち、図１３（Ｂ）に示すように、容器内回転盤４０の回転中心Ｃ１を通りかつ半径方向に延びた基準線Ｘｎ（ｎ＝１，２・・・）を設定し、その基準線Ｘｎを容器内回転盤４０の回転方向の前側（図１３（Ｂ）における矢印Ｙｎ（ｎ＝１，２・・・）で示された方向）に平行移動した前側基準線Ｘｎ’を、容器内回転盤４０の回転方向の前側に回転移動しながら回転中心Ｃ１寄りに平行移動して複数設定したときに、導出ガイド面４２２は、それら複数の前側基準線Ｘｎ’（図１３（Ｂ）における前側基準線Ｘ２’，Ｘ３’）と平行な複数の平面を連絡してなる屈曲面の各平面にそれぞれ内接する湾曲面と、前側基準線Ｘｎ’（図１３（Ｂ）における前側基準線Ｘ１’）に平行な平面との複合面によって構成されている。
【００７４】
そして、容器内回転盤４０の中央凹部４３から導出ガイド壁４２１（粉粒体導出路４２）の始端部４２３へと移動した粉粒体は、図５に示すように、容器内回転盤４０の回転に伴い底壁１０１上面を摺動する導出ガイド壁４２１の導出ガイド面４２２に押され、さらには、後から粉粒体導出路４２に流入してきた粉粒体に押されて導出ガイド壁４２１（粉粒体導出路４２）の終端部４２４、即ち、容器内回転盤４０の外縁部に向かって移動する。
【００７５】
ここで、図７（Ｂ）に示すように、粉粒体導出路４２のうち容器内回転盤４０の側面に開放した側面導出口４２５の上方には、容器内回転盤４０の外周面から側方に突出した庇壁４４と、庇壁４４に連続した傾斜壁４５とが設けられている。傾斜壁４５は、容器内回転盤４０の側面から側方に突出して設けられており、庇壁４４の上面のうち容器内回転盤４０の回転方向における前縁部から斜め下方に向かって延びた斜面４５１を有している。
【００７６】
容器内回転盤４０が回転すると、図７（Ｂ）の太線矢印で示すように、環状堆積部１０２に堆積した粉粒体が、傾斜壁４５の斜面４５１に乗り上げて庇壁４４の上面へと案内される。即ち、粉粒体が側面導出口４２５の正面を迂回するように案内される。これにより、側面導出口４２５の側方には空間が形成され、粉粒体導出路４２を通過した粉粒体が側面導出口４２５（導出ガイド壁４２１の終端部）からその空間へと排出される。なお、庇壁４４及び傾斜壁４５は、粉粒体収容容器１０の側壁から僅かに離れており、容器内回転盤４０の回転時に側壁に摺接しないようになっている。以上が、粉粒体供給装置９０の構成に関する説明である。
【００７７】
次に、粉粒体供給装置９０の動作について説明する。上端キャップ１３に形成された投入口（図示せず）から粉粒体収容容器１０内に投入された粉粒体は、一旦、容器内回転盤４０の上面に堆積する。その状態で供給モータ１４を駆動すると、容器内回転盤４０が回転し、容器内回転盤４０上の粉粒体が上面待ち受けガイド３９によって外周縁側に向けて誘導される。そして、容器内回転盤４０の外周縁と粉粒体収容容器１０の側壁との間の環状隙間３５から底壁１０１へと粉粒体が流下する。
【００７８】
粉粒体は、底壁１０１の外縁部に沿った環状堆積部１０２に堆積すると共に、容器内回転盤４０の外周面から突出した粉粒体取込突起４６によって粉粒体導入路４１内に取り込まれる。粉粒体導入路４１内に取り込まれた粉粒体は、容器内回転盤４０の回転に伴い底壁１０１上面を摺動する導入ガイド壁４１１（導入ガイド面４１２）に押されて、容器内回転盤４０の下面の中央凹部４３へと移動する。そして、中央凹部４３にて降下ガイド面４３１に案内されて粉粒体排出孔１２１へと送り込まれる（図５参照）。
【００７９】
ここで、粉粒体排出孔１２１の内側に設けられた多孔壁３０の粉粒体通過孔３０１は、上記したように粉粒体同士が付着してなる粉粒体アーチによって閉塞可能な大きさとなっているが、容器内回転盤４０が回転している間は、降下ガイド面４３１から垂下した粉砕突壁４３２が多孔壁３０の上面で旋回して粉粒体アーチを崩すので、粉粒体が多孔壁３０の粉粒体通過孔３０１を通過する。即ち、粉粒体供給装置９０から下方に（受容器９９に向けて）粉粒体が排出される。これに対し、容器内回転盤４０の回転が停止すると、粉粒体アーチによって粉粒体通過孔３０１が直ぐに閉塞するので、粉粒体供給装置９０からの粉粒体の排出が停止する。
【００８０】
ところで、例えば、導入ガイド壁４１１によって容器内回転盤４０の中央凹部４３まで案内された粉粒体の量が、粉粒体排出孔１２１からの排出可能量（開口広さ）に対して過剰であって、粉粒体排出孔１２１から排出し切れなかった場合には、以下のようである。
【００８１】
即ち、図５に示すように、排出し切れなかった粉粒体は、中央凹部４３から導出ガイド壁４２１の始端部４２３へと移動し、容器内回転盤４０の回転に伴って底壁１０１上面を摺動する導出ガイド壁４２１（導出ガイド面４２２）に押されて粉粒体導出路４２内を容器内回転盤４０の外縁部へと移動し、容器内回転盤４０の外周面に開放した側面導出口４２５から環状堆積部１０２へと返送される。
【００８２】
このとき、容器内回転盤４０の外周面から突出した傾斜壁４５の斜面４５１によって、環状堆積部１０２に堆積している粉粒体が庇壁４４の上面へと案内されるので、側面導出口４２５の側方には、側面導出口４２５から排出される粉粒体を受入可能な空間が形成される。その空間に側面導出口４２５から粉粒体が排出されるので、粉粒体を側面導出口４２５から環状堆積部１０２へとスムーズに排出することが可能となる。
【００８３】
このように、本発明の粉粒体供給装置９０によれば、例えば、導入ガイド壁４１１によって容器内回転盤４０の中央部（中央凹部４３）に案内された粉粒体の一部が粉粒体排出孔１２１から排出し切れなかった場合に、その排出し切れなかった粉粒体は、粉粒体収容容器１０の底壁１０１上面を摺動する導出ガイド壁４２１（導出ガイド面４２２）に押されて、容器内回転盤４０の中央部から外縁部へと移動し、環状堆積部１０２へと戻される。即ち、排出し切れなかった粉粒体を導出ガイド壁４２１によって粉粒体排出孔１２１の側方に排除することができるから、粉粒体排出孔１２１の詰まりを防止することができる。
【００８４】
［第２実施形態］
以下、図１５〜図１７に基づいて本実施形態の粉粒体供給装置９０について説明する。本実施形態は、主に、容器内回転盤４０に設けられた導入ガイド壁４１１（粉粒体導入路４１）及び導出ガイド壁４２１（粉粒体導出路４２）の構造が、前記第１実施形態とは異なっている。
【００８５】
図１５に示すように、容器内回転盤４０の下面のうち、粉粒体排出孔１２１との対向位置（中央部）には、粉粒体排出孔１２１よりも大径な中央凹部４３が陥没形成されており、その中央凹部４３から容器内回転盤４０の外縁部に亘って、溝形構造をなした粉粒体導入路４１と粉粒体導出路４２とが延びている。
【００８６】
粉粒体導入路４１に備えた導入ガイド壁４１１の始端部４１３は、容器内回転盤４０の回転中心Ｃ１と導入ガイド壁４１１の終端部４１４とを通りかつ半径方向に延びた基準線Ｌ１よりも、容器内回転盤４０の回転方向（図１５における時計回り方向）の前方側に配置されている。
【００８７】
導入ガイド壁４１１のうち、容器内回転盤４０の回転に伴い粉粒体を押圧する導入ガイド面４１２は、粉粒体排出孔１２１を中心として湾曲して粉粒体排出孔１２１の外縁部より外側に位置した中央湾曲面４３３の一端部に連続している。導入ガイド面４１２は、導入ガイド壁４１１の終端部４１４から始端部４１３に向かうに従って、基準線Ｌ１から徐々に離れるように延びた平面によって構成されている。
【００８８】
或いは、図１７（Ａ）に示すように、導入ガイド面４１２は、容器内回転盤４０の回転中心Ｃ１を通りかつ半径方向に延びた基準線Ｘ１を設定し、その基準線Ｘ１を容器内回転盤４０の回転方向の後側（図１７（Ａ）における矢印Ｙ１で示された方向）に平行移動した後側基準線Ｘ１’と平行な平面で構成されている。本実施形態では、基準線Ｘ１と導入ガイド面４１２（後側基準線Ｘ１’）との距離が、粉粒体排出孔１２１の半径より大きくなっている。なお、導入ガイド壁４１１の終端部４１４に連続して中央湾曲面４３３を有した壁部４３４（図１６参照）は、本発明の「中継ガイド壁」に相当する。
【００８９】
一方、粉粒体導出路４２に備えた導出ガイド壁４２１については以下のようである。図１５に示すように、導出ガイド壁４２１の始端部４２３は中央湾曲面４３３の内側に配置されており、導出ガイド壁４２１の終端部４２４は、容器内回転盤４０の回転中心Ｃ１と導出ガイド壁４２１の始端部４２３とを通りかつ半径方向に延びた基準線Ｌ２よりも、容器内回転盤４０の回転方向（図１５における時計回り方向）の後方側に配置されている。
【００９０】
そして、導出ガイド壁４２１に形成された導出ガイド面４２２は、導出ガイド壁４２１の始端部４２３から終端部４２４に向かうに従って、基準線Ｌ２から徐々に離れるように容器内回転盤４０の回転方向の前方に膨らむように湾曲した湾曲面及び平面によって構成されている。
【００９１】
導出ガイド面４２２は、以下のような構成であるとも言える。即ち、図１７（Ｂ）に示すように、容器内回転盤４０の回転中心Ｃ１を通りかつ半径方向に延びた基準線Ｘｎ（ｎ＝１，２，３・・・）を設定し、その基準線Ｘｎを容器内回転盤４０の回転方向の前側（図１７（Ｂ）における矢印Ｙｎ（ｎ＝１，２，３・・・）で示された方向）に平行移動した前側基準線Ｘｎ’を、容器内回転盤４０の回転方向の前側に回転移動しながら回転中心Ｃ１寄りに平行移動して複数設定したときに、導出ガイド面４２２は、複数の前側基準線Ｘｎ’（図１７（Ｂ）における前側基準線Ｘ２’，Ｘ３’）と平行な複数の平面を連絡してなる屈曲面の各平面にそれぞれ内接する湾曲面及び、前側基準線Ｘｎ’（図１７（Ｂ）における前側基準線Ｘ１’）に平行な平面によって構成されている。
【００９２】
図１６に示すように、底壁１０１上面における粉粒体排出孔１２１の開口縁と中央湾曲面４３３との間には、粉粒体導入路４１と粉粒体導出路４２との間を中継した円弧中継路４８が形成されている。そして、導入ガイド壁４１１の終端部４１４から中央湾曲面４３３へと移動した粉粒体が、この円弧中継路４８の途中で中央湾曲面４３３から徐々に離れて、導出ガイド壁４２１の始端部４２３へ向かって移動するようになっている（図１５の矢印参照）。
【００９３】
容器内回転盤４０の中央部には、排出孔ガイド部４９が設けられている。排出孔ガイド部４９は、導出ガイド壁４２１の始端部４２３の直前に配置されており、先端部が粉粒体排出孔１２１の開口縁から円弧中継路４８内に突出している。この排出孔ガイド部４９によって、円弧中継路４８を通過する粉粒体の一部が削り取られて粉粒体排出孔１２１へ強制的に取り込まれる。また、排出孔ガイド部４９の円弧中継路４８への突出量を変更することで、粉粒体排出孔１２１に取り込まれる粉粒体の量を変更可能となっている。つまり、排出孔ガイド部４９の突出量は、粉粒体排出孔１２１の開口広さに応じて最適な突出量に設定することができる。その他の構成については前記第１実施形態と同じであるため、同じ構成については、同一符号を付し、重複する説明は省略する。
【００９４】
次に、本実施形態の粉粒体供給装置９０の動作を説明する。容器内回転盤４０の回転に伴い粉粒体取込突起４６によって環状堆積部１０２から粉粒体導入路４１へと取り込まれた粉粒体は、導入ガイド壁４１１の導入ガイド面４１２に押され、さらに、後から粉粒体導入路４１に取り込まれた粉粒体に押されて、粉粒体導入路４１内を容器内回転盤４０の中央部に向かって移動する。
【００９５】
容器内回転盤４０の中央部にて導入ガイド壁４１１（粉粒体導入路４１）の終端部４１４から円弧中継路４８へと移動した粉粒体は、途中までは中央湾曲面４３３の近傍を移動し、途中から徐々に中央湾曲面４３３から離れて導出ガイド壁４２１（導出ガイド面４２２）の始端部４２３へ向かって移動する。そして、導出ガイド壁４２１の始端部４２３の直前で、粉粒体の一部が排出孔ガイド部４９によって削り取られて粉粒体排出１２１孔へと取り込まれる。また、排出孔ガイド部４９に削り取られなかった（粉粒体排出孔１２１に取り込まれなかった）残りの粉粒体は、そのまま導出ガイド壁４２１の始端部４２３へと移動する。
【００９６】
導出ガイド壁４２１の始端部４２３へと移動した粉粒体は、容器内回転盤４０の回転によって導出ガイド面４２２に押され、さらに、後から導出ガイド壁４２１の始端部４２３へと移動してきた粉粒体に押されて、粉粒体導出路４２内を容器内回転盤４０の外周面に向けて移動する。そして、容器内回転盤４０の外周面に開放した側面導出口４２５から環状堆積部１０２へと排出される。なお、図示しないが、容器内回転盤４０の外周面に前記第１実施形態で説明したような庇壁４４及び傾斜壁４５を設けてもよい。このように、本実施形態によれば、前記第１実施形態と同様な効果を奏することができる。
【００９７】
［第３実施形態］
以下、図１８〜図２０に基づいて本発明の第３実施形態を説明する。図１８に示すように、粉粒体収容容器１０の内部には、円板状の容器内回転盤４０が、底壁１０１の上面から離して水平に取り付けられている。容器内回転盤４０の上面に堆積した粉粒体は上面待ち受けガイド３９によって容器内回転盤４０の外縁へと案内され、容器内回転盤４０の側方の環状隙間３５を通過して底壁１０１の環状堆積部１０２へと流下する。
【００９８】
環状堆積部１０２に堆積した粉粒体は、容器内回転盤４０の下面と底壁１０１との間で所定の安息角を有した粉流体の山を形成する。粉粒体山の安息角は粉粒体の種類に応じて一定であり、この粉粒体山が形成されることで、粉粒体排出孔１２１へと粉粒体が雪崩れ込まないようになっている。
【００９９】
容器内回転盤４０の下面には底面旋回部材２１が一体に設けられている。図１９に示すように、底面旋回部材２１は、容器内回転盤４０の下面に固定された旋回ベース２５から側方に片持ち梁状の導入ガイド壁２３と導出ガイド壁２４とが延びた構造をなし、これら導入ガイド壁２３と導出ガイド壁２４が、容器内回転盤４０と底壁１０１との間で底壁１０１の上面に摺接しつつ水平面内で回転する。そして、環状堆積部１０２に堆積した粉粒体は、導入ガイド壁２３の先端部によって掻き取られて、その掻き取られた粉粒体が導入ガイド壁２３の導入ガイド面２３１に押されて底壁１０１の中央部へと案内される。
【０１００】
図２０に示すように導入ガイド壁２３は、容器内回転盤４０（底面旋回部材２１）の回転方向（図２０における時計回り方向）の後側に膨らむように複数の平板をつなげた屈曲構造をなす。換言すれば、導入ガイド壁２３は、その始端部２３３と終端部２３４との中間部が折れ曲がって全体として底面旋回部材２１の回転方向の後側に膨らんだ帯状壁で構成されている。より詳細には、導入ガイド壁２３の始端部２３３は、容器内回転盤４０の回転中心Ｃ１と導入ガイド壁２３の終端部２３４とを通りかつ半径方向に延びた基準線Ｌ１よりも、容器内回転盤４０の回転方向の前方側に配置されている。また、導入ガイド壁２３のうち粉粒体を押圧して案内する導入ガイド面２３１は、導入ガイド壁２３の終端部２３４から始端部２３３に向かうに従って、基準線Ｌ１から徐々に離れるように容器内回転盤４０の回転方向の後方に膨らみつつ延びた屈曲面によって構成されている。
【０１０１】
導入ガイド面２３１は、以下の構成であるとも言える。即ち、図２１（Ａ）に示すように、容器内回転盤４０の回転中心Ｃ１を通りかつ半径方向に延びた基準線Ｘｎ（ｎ＝１，２・・・）を設定し、その基準線Ｘｎを容器内回転盤４０の回転方向の後側（図２１（Ａ）における矢印Ｙｎ（ｎ＝１，２，３・・・）で示された方向）に平行移動した後側基準線Ｘｎ’を、容器内回転盤４０の回転方向の後側に回転移動しながら回転中心Ｃ１寄りに平行移動して複数設定したときに、導入ガイド面２３１は、複数の後側基準線Ｘｎ’（図２１（Ａ）における後側基準線Ｘ１’，Ｘ２’）と平行な複数の平面を連絡してなる屈曲面で構成されている。
【０１０２】
一方、導出ガイド壁２４は、図２０に示すように、底面旋回部材２１の回転方向の前方に向かって膨らむように複数の平板を繋げた屈曲構造をなしている。換言すれば、導出ガイド壁２４は、その始端部２４３と終端部２４４との間で折れ曲がって、全体として容器内回転盤４０の回転方向の前方に膨らんだ帯状壁で構成されている。より詳細には、導出ガイド壁２４の終端部２４４は、容器内回転盤４０の回転中心Ｃ１と導出ガイド壁２４の始端部２４３とを通りかつ半径方向に延びた基準線Ｌ２よりも、容器内回転盤４０の回転方向の後方側に配置されている。また、導出ガイド壁２４のうち容器内回転盤４０の回転に伴って粉粒体を押圧する導出ガイド面２４１は、導出ガイド壁２４の始端部２４３から終端部２４４に向かうに従って、基準線Ｌ２から徐々に離れるように容器内回転盤４０の回転方向の前方に膨らむように屈曲した屈曲面によって構成されている。
【０１０３】
また、導出ガイド面２４１は、以下のような構成であるとも言える。即ち、図２１（Ｂ）に示すように、容器内回転盤４０の回転中心Ｃ１を通りかつ半径方向に延びた基準線Ｘｎ（ｎ＝１，２・・・）を設定し、その基準線Ｘｎを容器内回転盤４０の回転方向の前側（図２１（Ｂ）における矢印Ｙｎ（ｎ＝１，２・・・）で示された方向）に平行移動した前側基準線Ｘｎ’を容器内回転盤４０の回転方向の前側に回転移動しながら回転中心Ｃ１寄りに平行移動して複数設定したときに、導出ガイド面２４１は、複数の前側基準線Ｘｎ’（図２１（Ｂ）における前側基準線Ｘ１’，Ｘ２’）と平行な複数の平面を連絡してなる屈曲面によって構成されている。
【０１０４】
図２０に示すように、底面旋回部材２１のうち、その回転方向における導入ガイド壁２３の前方でありかつ導出ガイド壁２４の後側には、調整用翼片２６が一体形成されている。調整用翼片２６は、導出ガイド壁２４の始端部２４３寄り位置から分岐して側方に真っ直ぐ延びた片持ち梁状をなしている。また、調整用翼片２６は容器内回転盤４０の外縁部から側方に突出してその先端が粉粒体収容容器１０の側壁に近接している。そして、導入ガイド壁２３及び導出ガイド壁２４と同様に、底壁１０１の上面に摺接しつつ水平面内で回転する。
【０１０５】
導入ガイド壁２３により環状堆積部１０２から掻き取られる粉粒体の量は、調整用翼片２６の長さ（調整用翼片２６の先端と粉粒体収容容器１０の側壁との間の距離）及び、導入ガイド壁２３と調整用翼片２６との回転方向における間隔によって調整することができる。即ち、調整用翼片２６が短くなる（粉粒体収容容器１０の側壁との距離が大きくなる）に従い、或いは、導入ガイド壁２３と調整用翼片２６との回転方向における間隔が大きくなるに従い、導入ガイド壁２３によって環状堆積部１０２から掻き取られる粉粒体の量が増加する。なお、調整用翼片２６は、導出ガイド壁２４が通過した後で底壁１０１上に残った粉粒体を環状堆積部１０２側へと案内するという作用も奏する。本実施形態は、上述した構成及び、粉粒体排出孔１２１に多孔壁３０を備えていない（図１８参照）という点を除き、その他の構造に関しては前記第１実施形態と同様である。よって、第１実施形態と同じ構成については、同一符号を付し、重複する説明は省略する。
【０１０６】
本実施形態の動作を説明する。容器内回転盤４０の回転に伴い底面旋回部材２１が回転すると、導入ガイド壁２３によって環状堆積部１０２に堆積した粉粒体（粉粒体山の山裾部分）が掻き取られ、さらにその粉粒体は、導入ガイド壁２３の導入ガイド面２３１に押されて導入ガイド壁２３の終端部２３４へと移動する。そして、旋回ベース２５に形成されて導入ガイド壁２３の終端部から粉粒体排出孔１２１側に屈曲した中央堰止壁２５１（図１９及び図２０参照）に受け止められ、さらに、粉粒体排出孔１２１の上方へと誘導される。
【０１０７】
ここで、例えば、導入ガイド壁２３によって案内された粉粒体の量が、粉粒体排出孔１２１からの排出可能量に対して過剰であって、それら粉粒体の一部が粉粒体排出孔１２１から排出し切れなかった場合には、その排出し切れなかった粉粒体が、中央堰止壁２５１から導出ガイド壁２４の始端部２４３へと受け渡され、導出ガイド面２４１に押されて導出ガイド壁２４の始端部２４３から終端部２４４へと移動し、環状堆積部１０２へと返送される。このように、本実施形態によれば、前記第１実施形態と同様な効果を奏することができる。
【０１０８】
ところで、前記した第１〜第３実施形態の構成では、受容器９９を次々に取り替えて複数の受容器９９に粉粒体を量り取る場合において、受容器９９の取り替えを行っている間は、容器内回転盤４０の回転を停止して、粉粒体の排出を停止する必要がある。これは、受容器９９が無い状態で粉粒体が排出されると、電子天秤６０の秤量皿６２に直接粉粒体が降りかかってコンタミ（汚染）や計量誤差の原因となり得るからである。しかしながら、上述のように受容器９９を取り替える毎に粉粒体の排出を停止していると、受容器９９の取り替えに要する時間がデッドタイムとなるため、複数の受容器９９に粉粒体を量り取るのに時間がかかってしまう。
【０１０９】
これに対し、以下に説明する本発明の第４実施形態及び第５実施形態に係る粉粒体供給装置９０は、上記課題を解消するための構成を、前記第１実施形態の粉粒体供給装置９０に追加したものである。
【０１１０】
［第４実施形態］
図２２に示すように、本実施形態の粉粒体供給装置９０は、粉粒体排出筒１２の下端開口１２９を開閉することが可能な開閉部材７０を備えている。開閉部材７０は、粉粒体収容容器１０の底壁１０１に固定されたモータ７２の出力シャフト７１の下端部に固定されており、その出力シャフト７１を中心にして水平面内で回動する。その他の構成については、多孔壁３０が取り付けられていない点を除き、上記第１実施形態と同様であるから、第１実施形態と同じ構成については、同一符号を付し、重複する説明は省略する。
【０１１１】
本実施形態の粉粒体供給装置９０を用いて、受容器９９を次々に取り替えて複数の受容器９９に粉粒体を体を量り取る場合には、以下のようである、即ち、電子天秤６０に載った受容器９９を取り替えて風袋引きが完了するまでの間は、図２３に示すように、開閉部材７０にて粉粒体排出筒１２の下端開口１２９が閉塞された状態で、容器内回転盤４０が回転駆動されており、その間に粉粒体排出孔１２１の下方に排出された粉粒体が粉粒体排出筒１２内に蓄積される。受容器９９の取り替え及び風袋引き完了すると、図２４に示すように開閉部材７０にて粉粒体排出筒１２の下端開口１２９が開放されて、粉粒体排出筒１２に蓄積された粉粒体が一度に受容器９９へと排出される。その後、粉粒体排出筒１２の下端開口１２９が開放状態に保持されて電子天秤６０の計量値が目標重量になるまで粉粒体排出孔１２１から粉粒体が排出し（図２５参照）、目標重量となったら直ぐに、容器内回転盤４０が回転したまま開閉部材７０にて粉粒体排出筒１２の下端開口１２９が閉塞される（図２６参照）。その後、電子天秤６０上の受容器９９の取り替えと風袋引きが行われるが、この間に、粉粒体排出筒１２内には再び粉粒体が蓄積され（図２３参照）、以下、上述した動作を繰り返すことで、連続的に複数の受容器９９に粉粒体を量り取ることができる。
【０１１２】
このように、本実施形態によれば、受容器９９の取り替え及び風袋引き中にも容器内回転盤４０を回転させて粉粒体排出孔１２１への粉粒体の案内を継続して行うようにして、その粉粒体を粉粒体排出筒１２内に蓄積しておき、蓄積された粉粒体は、受容器９９の取り替えが完了した後で一度に排出するようにしたので、受容器９９の取り替え中に容器内回転盤４０を停止して粉粒体排出孔１２１への粉粒体の案内を中断した場合に比べて、複数の受容器９９に短時間で効率よく粉粒体を量り取ることができる。
【０１１３】
ここで、開閉部材７０は、モータ７２ではなく手動で開閉してもよい。また、受容器９９の取り替えは手動で行ってもよいし、図示しない搬送ロボットによって行ってもよい。そして、モータ７２を駆動制御するモータ制御装置（図示せず）と電子天秤６０と搬送ロボットを互いに接続して、上述した動作を全自動で行わせてもよい。
【０１１４】
また、図２７に示すように、開閉部材７０を、モータ７２の出力シャフト７１にギヤ連結された水平な回転軸７３を中心に上下に回動させて、粉粒体排出筒１２の下端開口１２９を開閉するようにしてもよい。
【０１１５】
さらに、本実施形態は、上記第１実施形態の粉粒体供給装置９０に開閉部材７０を追加した構成であったが、上記第２又は第３実施形態の粉粒体供給装置９０に開閉部材７０を追加した構成としてもよい。
【０１１６】
［第５実施形態］
以下、図２８〜図３３に基づいて本発明の第５実施形態を説明する、図２９に示すように、粉粒体収容容器１０の底壁１０１の下面には、扁平な円筒状をなしたリング状ブロック８１が固定されている。リング状ブロック８１は、底壁１０１の下面から垂下して粉粒体排出筒１２の側方を囲んだ円筒状の囲壁８０と粉粒体排出筒１２との間に嵌合されている。
【０１１７】
粉粒体収容容器１０の底壁１０１のうち粉粒体排出孔１２１の側方位置には、複数（例えば４つ）の備蓄孔１２３が貫通形成されている。各備蓄孔１２３はリング状ブロック８１を上下方向に貫通した縦孔構造をなしており、粉粒体排出筒１２と平行に延びている。また、備蓄孔１２３は、粉粒体排出孔１２１を中心として等間隔に配置されており、その水平断面形状は略扇形状をなしている。
【０１１８】
リング状ブロック８１と底壁１０１の下面との間には、備蓄孔１２３の上端開口１２４を開閉することが可能な上端開閉部材８３が備えられている。上端開閉部材８３は円板状をなしており、粉粒体排出筒１２を中心に水平面内で回動可能となっている。上端開閉部材８３には、備蓄孔１２３の水平断面と相似形状の連通口８３１が備蓄孔１２３と同数だけ貫通形成されており、それらが回転中心（粉粒体排出筒１２）の周囲に等間隔に配置されている（図３０（Ａ）参照）。また、上端開閉部材８３の側面から突出した操作ツマミ８３２が、囲壁８０に形成された水平スリット８０１から外側に突出しており、操作ツマミ８３２を操作して上端開閉部材８３を水平面内で約４５度回動させることで、備蓄孔１２３の上端開口１２４を開放状態（図３０（Ａ）の状態）と閉塞状態（図３０（Ｂ）の状態）とに切り替えることができる。
【０１１９】
一方、リング状ブロック８１の下端面には、備蓄孔１２３の下端開口１２５を開閉可能な下端開閉部材８４が備えられている。下端開閉部材８４は、円板状をなしており、粉粒体排出筒１２を中心に水平面内で回動可能となっている。下端開閉部材８４には、備蓄孔１２３の水平断面と相似形状の連通口８４１が備蓄孔１２３と同数だけ貫通形成されており、それらが回転中心（粉粒体排出筒１２）の周囲に等間隔に配置されている。また、下端開閉部材８４の側面から突出した操作ツマミ８４２は、リング状ブロック８１の下端外周縁から垂下した囲壁８１１を貫通して側方に突出しており（図２８参照）、上端開閉部材８３と同様に、操作ツマミ８４２を操作して下端開閉部材８４を水平面内で約４５度回動させることで、備蓄孔１２３の下端開口１２５を開放状態と閉塞状態とに切り替えることができる。
【０１２０】
また、リング状ブロック８１の側面にはモータ７２が固定されており、そのモータ７２の出力シャフト７１の下端部に開閉部材７０が固定されている。開閉部材７０は、出力シャフト７１の下端部から水平に延びたアーム７０１の先端部に円板７０２を備えてなり、モータ７２によって開閉部材７０が水平面内で回動することで、円板７０２が粉粒体排出筒１２の下端開口１２９を開閉するようになっている。その他の構成は、多孔壁３０が取り付けられていない点を除き、上記第１実施形態と同様であるから、重複する説明は省略する。
【０１２１】
本実施形態の粉粒体供給装置９０を用いて、受容器９９を次々に取り替えて複数の受容器９９に粉粒体を体を量り取る場合には、以下のようである。即ち、電子天秤６０上の受容器９９を取り替えて風袋引きが完了するまでの間は、図３１に示すように、上端開閉部材８３にて備蓄孔１２３の上端開口１２４が開放されかつ、下端開閉部材８４及び開閉部材７０にて備蓄孔１２３及び粉粒体排出筒１２の各下端開口１２５，１２９が閉塞された状態で、容器内回転盤４０が回転駆動されており、その間に、粉粒体収容容器１０内の粉粒体が、粉粒体排出筒１２と各備蓄孔１２３の内部に蓄積される。受容器９９が電子天秤６０上にセットされ、風袋引きが完了すると、図３２に示すように、上端開閉部材８３にて備蓄孔１２３の上端開口１２４が閉塞されかつ、下端開閉部材８４及び開閉部材７０にて備蓄孔１２３及び粉粒体排出筒１２の各下端開口１２５，１２９が開放される。すると、粉粒体排出筒１２と各備蓄孔１２３とに蓄積されていた粉粒体が受容器９９に向けて一度に排出される。その直後、図３３に示すように下端開閉部材８４にて備蓄孔１２３の下端開口１２５が閉塞されかつ上端開閉部材８３にて備蓄孔１２３の上端開口１２４が開放され（図３０参照）、電子天秤６０の計量値が目標重量になるまでその状態が保持される。この状態では、各備蓄孔１２３に粉粒体が溜まっていくと共に、粉粒体排出孔１２１から受容器９９へと比較的少量ずつ粉粒体が排出される。これにより、計量値を徐々に目標重量に近づけることができる。
【０１２２】
電子天秤６０の計量値が目標重量になった時点で、開閉部材７０にて粉粒体排出筒１２の下端開口１２９が閉塞されて全ての粉粒体の排出が禁止される。その後、受容器９９の取り替えと風袋引きとが行われるが、その取り替え及び風袋引きが完了するまでの間、容器内回転盤４０は回転駆動されるので、図３１に示すように、粉粒体排出筒１２と各備蓄孔１２３とに粉粒体が蓄積される。そして、受容器９９の取り替え及び風袋引きが完了したら、再び、粉粒体排出筒１２と各備蓄孔１２３とに蓄積された粉粒体を受容器９９へと一度に排出させ（図３２参照）、以下、上述した動作を繰り返すことで、連続的に複数の受容器９９に粉粒体を量り取ることができる。このように、本実施形態によれば、上記第４実施形態と同様の作用効果を奏することが可能である。
【０１２３】
ここで、上端開閉部材８３及び下端開閉部材８４は、手動で開閉する構成に限定されず、図示しないモータ等の駆動源によって自動開閉されるようにしてもよい。また、受容器９９の取り替えは手動で行ってもよいし、図示しない搬送ロボットに行わせてもよい。そして、モータを駆動制御するモータ制御装置（図示せず）と電子天秤６０及び搬送ロボットとを互いに接続して上述した動作を全自動で行わせてもよい。
【０１２４】
また、本実施形態では、上記第１実施形態の粉粒体供給装置９０に開閉部材７０、上端開閉部材８３及び下端開閉部材８４を追加した構成としたが、上記第２又は第３実施形態の粉粒体供給装置９０に開閉部材７０、上端開閉部材８３及び下端開閉部材８４を追加した構成としてもよい。
【０１２５】
［第６実施形態］
本実施形態は図３４〜図３７に示されている。図３５に示すように、粉粒体収容容器１０の底壁１０１のうち粉粒体排出孔１２１の側方位置には、複数（例えば４つ）の偏心粉粒体排出孔１２８が貫通形成され、底壁１０１の下面側に、それら複数の偏心粉粒体排出孔１２８を一斉に開閉可能な開閉円板７５が備えられている。
【０１２６】
複数の偏心粉粒体排出孔１２８は、粉粒体排出孔１２１を中心として等間隔に配置されており、水平断面が略扇形状をなしている。また、底壁１０１の下面からは粉粒体排出筒１２を側方から囲んだ円筒状の囲壁８０が垂下しており、その囲壁８０の内側に開閉円板７５が回転可能に備えられている。
【０１２７】
図３６に示すように、開閉円板７５は粉粒体排出筒１２を中心にして水平面内で回動可能な円板状をなしており、偏心粉粒体排出孔１２８と相似形状をなした複数の開口部７６が周方向に等間隔に設けられている。また、開閉円板７５の外周面から突出した操作ツマミ７７が、囲壁８０を貫通して側方に突出しており（図３４参照）、その操作ツマミ７７の操作により開閉円板７５が底壁１０１の下面に摺接しつつ回動することで、偏心粉粒体排出孔１２８が開閉するようになっている。その他、前記第１実施形態と同じ構成については、同一符号を付し、重複する説明は省略する。
【０１２８】
この粉粒体供給装置９０では、受容器９９の上端開口の広さに応じて偏心粉粒体排出孔１２８を開閉して粉粒体の供給を行う。具体的には、カップや皿等の上端開口が比較的大きい受容器９９の場合には、図３４に示すように、偏心粉粒体排出孔１２８を開放した状態で粉粒体の供給を行う。一方、バイアル瓶のような上端開口が比較的小さい受容器９９には、図３７に示すように、開閉円板７５にて偏心粉粒体排出孔１２８を閉塞して、粉粒体排出孔１２１だけから粉粒体の供給を行う。
【０１２９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１３０】
（１）上記第１実施形態において、粉粒体排除ガイド部４７は、容器内回転盤４０の下面に形成された溝４７１の一側面で構成されていたが、図３８に示すように、容器内回転盤４０の下面から突出した突壁４７５で構成してもよい。
【０１３１】
（２）上記第２実施形態において、容器内回転盤４０の回転中心Ｃ１を通りかつ半径方向に延びた基準線Ｘ１と導入ガイド面４１２（後側基準線Ｘ１’）の距離は、粉粒体排出孔１２１の半径より大きくなっていたが、図３９に示すように、粉粒体排出孔１２１の半径以下になるようにしてもよい。
【０１３２】
（３）上記第３実施形態において、底面旋回部材２１の旋回ベース２５のうち、粉粒体排出孔と対向した部分を、図４０（Ａ）に示すように段付き状に下方に突出させて粉粒体排出孔１２１内に突入させてもよい。
【０１３３】
また、図４０（Ｂ）に示すように、粉粒体排出孔１２１内に多孔壁３０を設けた場合には、旋回ベース２５の粉粒体排出孔１２１と対向した部分に、導入ガイド壁２３の終端部２３４から粉粒体排出孔１２１に向けて粉粒体を案内する降下ガイド面４３１と、降下ガイド面４３１から垂下して多孔壁３０の上面を粉粒体アーチを崩しつつ旋回する粉砕突壁４３２を設けてもよい。
【０１３４】
（４）上記第３実施形態において、容器内回転盤４０は水平な円板状をなしていたが、下方に向かうに従って拡径した円錐状をなしていてもよい。このようにすれば、粉粒体収容容器１０内に投入された粉粒体が自重で底壁１０１の環状堆積部１０２へと流下するので、容器内回転盤４０の上面に堆積した粉粒体を掻き落とす為の上面待ち受けガイド３９が不要となる。
【０１３５】
（５）上記第１〜第３実施形態において、上面待ち受けガイド３９は１つであったが、複数備えていてもよい。また、上記第１〜第３実施形態において、上面待ち受けガイド３９のうち、容器内回転盤４０の上面に隣接配置された水平板３９１は、平板状をなしていたが、図４１に示すように、容器内回転盤４０の回転方向（図４１における時計回り方向）の前方に向かうに従って、容器内回転盤４０の外縁部に近づくようなインボリュート曲線又は渦巻き曲線に沿って湾曲していてもよい。また、この湾曲した水平板３９１を有する上面待ち受けガイド３９を複数備えていてもよい。
【０１３６】
（６）前記実施形態では、受容器９９を電子天秤６０上に載置して、受容器９９に収容された粉粒体の重量を計測していたが、粉粒体を収容した粉粒体供給装置９０全体の重量を常時計量して、粉粒体の排出に伴う粉粒体供給装置９０の重量の減少量を受容器９９に収容された粉粒体の重量として計測してもよい。このようにすれば、受容器９９を取り替える毎に風袋引きを行う手間が省け、複数の受容器９９に効率よく粉粒体を量り取ることができる。
【０１３７】
（７）前記第１実施形態において、上端キャップ１３、抜け止めキャップ３２、下端キャップ３３は何れも螺合によって締結される構成であるが、フランジ合わせ、ヘルールクランプ方式などの他の締結構造であってもよい。
【０１３８】
（８）上記第〜第３実施形態では、導入ガイド壁と導出ガイド壁が１つずつ設けられていたが、導入ガイド壁又は導出ガイド壁を複数設けてもよい。
【図面の簡単な説明】
【０１３９】
【図１】本発明の一実施形態に係る粉粒体計量システムの正面図
【図２】粉粒体供給装置の側断面図
【図３】粉粒体収容容器の断面斜視図
【図４】（Ａ）容器内回転盤を上方から見た斜視図、（Ｂ）容器内回転盤を下方から見た斜視図
【図５】粉粒体収容容器の平断面図
【図６】（Ａ）容器内回転盤の部分拡大平面図、（Ｂ）導入ガイド面の構成を説明するための平面図
【図７】（Ａ）容器内回転盤のうち導入ガイド壁の始端部を拡大した斜視図、（Ｂ）容器内回転盤のうち導出ガイド壁の終端部を拡大した斜視図、
【図８】容器内回転盤の下面中央部の平面図
【図９】図８におけるＡ−Ａ’断面図
【図１０】容器内回転盤の下面中央部を下方から見た斜視図
【図１１】粉粒体排出筒の断面斜視図
【図１２】容器内回転盤の部分拡大平面図
【図１３】（Ａ）排除ガイド面の構成を説明するための平面図、（Ｂ）導出ガイド面の構成を説明するための平面図
【図１４】粉粒体の移動経路を説明するための容器内回転盤の中央部における概念図
【図１５】第２実施形態に係る粉粒体供給装置の平断面図
【図１６】容器内回転盤の下面中央部を拡大した平面図
【図１７】（Ａ）導入ガイド面の構成を説明するための平面図、（Ｂ）導出ガイド面の構成を説明するための平面図
【図１８】第３実施形態に係る粉粒体供給装置の側断面図
【図１９】底面旋回部材の斜視図
【図２０】底面旋回部材の平面図
【図２１】（Ａ）導入ガイド面の構成を説明するための平面図、（Ｂ）導出ガイド面の構成を説明するための平面図
【図２２】第４実施形態に係る粉粒体供給装置の側断面図
【図２３】粉粒体を粉粒体排出筒に蓄積している状態の粉粒体供給装置の側断面図
【図２４】粉粒体排出筒に蓄積された粉粒体を排出している状態の粉粒体供給装置の側断面図
【図２５】容器内回転盤の回転により粉粒体を供給している状態の粉粒体供給装置の側断面図
【図２６】開閉部材にて粉粒体排出孔の下端開口が閉塞された直後の粉粒体供給装置の側断面図
【図２７】変形例の開閉部材を備えた粉粒体供給装置の側断面図
【図２８】第５実施形態に係る粉粒体供給装置の側断面図
【図２９】粉粒体供給装置の断面斜視図
【図３０】（Ａ）蓄積孔の上端開口が開放した状態の底断面図、（Ｂ）蓄積孔の上端開口が閉塞した状態の底断面図
【図３１】粉粒体を蓄積している状態の粉粒体供給装置の側断面図
【図３２】蓄積された粉粒体を排出している状態の粉粒体供給装置の側断面図
【図３３】容器内回転盤の回転により粉粒体を供給している状態の粉粒体供給装置の側断面図
【図３４】第６実施形態に係る粉粒体供給装置の側断面図
【図３５】粉粒体収容容器の断面斜視図
【図３６】粉粒体収容容器を下方から見た断面斜視図
【図３７】偏心粉粒体排出孔を閉塞した状態の粉粒体供給装置の側断面図
【図３８】変形例の容器内回転盤を下方から見た斜視図
【図３９】変形例の容器内回転盤の平面図
【図４０】変形例の底面旋回部材の斜視図
【図４１】変形例の上面待ち受けガイドを上方から見た平面図
【符号の説明】
【０１４０】
１０    粉粒体収容容器
１２    粉粒体排出筒（筒壁）
２１    底面旋回部材
２３，４１１    導入ガイド壁
２４，４２１    導出ガイド壁
３９    上面待ち受けガイド
４０    容器内回転盤
４１    粉粒体導入路
４２    粉粒体導出路
４３    中央凹部
４４    庇壁
４５    傾斜壁
４６    粉粒体取込突起
４７    粉粒体排除ガイド部
４８    円弧中継路
４９    排出孔ガイド部
７０    開閉部材
８３    上端開閉部材
８４    下端開閉部材
９０    粉粒体供給装置
１０１    底壁
１０２    環状堆積部
１２１    粉粒体排出孔
１２３    備蓄孔
１２４    備蓄孔の上端開口
１２５    備蓄孔の下端開口
１２９    粉粒体排出筒の下端開口
２３１，４１２    導入ガイド面
２４１，４２２    導出ガイド面
２５１    中央堰止壁
４２５    側面導出口
４３１    降下ガイド面
４３２    粉砕突壁
４３３    中央湾曲面
４３４    中継ガイド壁
４５１    傾斜壁の斜面
４７２    排除ガイド面
【図１】
0005265896.tif 000002
【図２】
0005265896.tif 000003
【図３】
0005265896.tif 000004
【図４】
0005265896.tif 000005
【図６】
0005265896.tif 000006
【図７】
0005265896.tif 000007
【図８】
0005265896.tif 000008
【図９】
0005265896.tif 000009
【図１０】
0005265896.tif 000010
【図１１】
0005265896.tif 000011
【図１２】
0005265896.tif 000012
【図１３】
0005265896.tif 000013
【図１４】
0005265896.tif 000014
【図１６】
0005265896.tif 000015
【図１７】
0005265896.tif 000016
【図１９】
0005265896.tif 000017
【図２０】
0005265896.tif 000018
【図２１】
0005265896.tif 000019
【図２９】
0005265896.tif 000020
【図３０】
0005265896.tif 000021
【図３５】
0005265896.tif 000022
【図３６】
0005265896.tif 000023
【図３８】
0005265896.tif 000024
【図３９】
0005265896.tif 000025
【図４０】
0005265896.tif 000026
【図４１】
0005265896.tif 000027
【図５】
0005265896.tif 000028
【図１５】
0005265896.tif 000029
【図１８】
0005265896.tif 000030
【図２２】
0005265896.tif 000031
【図２３】
0005265896.tif 000032
【図２４】
0005265896.tif 000033
【図２５】
0005265896.tif 000034
【図２６】
0005265896.tif 000035
【図２７】
0005265896.tif 000036
【図２８】
0005265896.tif 000037
【図３１】
0005265896.tif 000038
【図３２】
0005265896.tif 000039
【図３３】
0005265896.tif 000040
【図３４】
0005265896.tif 000041
【図３７】
0005265896.tif 000042